(57)【特許請求の範囲】
【請求項１】
ワイヤレス通信のための方法であって、
第１のタイプのユーザ機器（ＵＥ）との第１のタイプの通信のためのシステム帯域幅内のワイヤレスリソースの予約済みセットと、前記予約済みセットの外部にあり、かつ前記システム帯域幅内にある残りのワイヤレスリソースとを識別することと、
第２のタイプのＵＥとの第２のタイプの通信のために前記残りのワイヤレスリソースのサブセットを割り振ることと、ここにおいて、前記第１のタイプの通信と前記第２のタイプの通信とが、ラウンドトリップ時間（ＲＴＴ）またはデューティサイクルタイミングのうちの少なくとも１つに基づいて異なる、
を備え、
前記第１のタイプの通信が、第１の送信時間間隔（ＴＴＩ）をもつ第１のサブフレームタイプを有し、前記第２のタイプの通信が、前記第１のＴＴＩよりも小さい第２のＴＴＩをもつ第２のサブフレームタイプを有し、
前記第２のタイプの通信が、前記第１のタイプの通信におけるそのような確認応答よりも短い時間スケールで送信の受信の確認応答を与えるように構成された、方法。
【請求項２】
前記第１のタイプの通信と前記第２のタイプの通信とが、ＲＴＴに基づいて異なり、ここにおいて、
前記第１のタイプの通信が、第１のＲＴＴをもつ第１のサブフレームタイプを有し、  前記第２のタイプの通信が、前記第１のＲＴＴよりも小さい第２のＲＴＴをもつ第２のサブフレームタイプを有する、請求項１に記載の方法。
【請求項３】
前記第１のタイプの通信と前記第２のタイプの通信とが、デューティサイクルタイミングに基づいて異なり、ここにおいて、
前記第１のタイプの通信が第１のデューティサイクルに関連し、前記システム帯域幅の部分量または全量のいずれかを利用し、
前記第２のタイプの通信が、前記第１のデューティサイクルよりも小さい第２のデューティサイクルに関連し、前記システム帯域幅よりも小さい帯域幅を利用する、請求項１に記載の方法。
【請求項４】
前記割り振ることが、
前記第２のタイプのＵＥのうちの少なくとも１つの存在を識別することと、
前記第２のタイプのＵＥのうちの前記識別された少なくとも１つに提供されるべきデータサービスのタイプを識別することと、
前記第２のタイプのＵＥに提供されるべきデータサービスの前記タイプに少なくとも部分的に基づいて、前記残りのワイヤレスリソースの前記サブセットを決定することと
を備える、請求項１に記載の方法。
【請求項５】
前記割り振ることは、
前記第２のタイプのＵＥに提供されるべきデータサービスの前記タイプのためのデータキュー中のデータの量がしきい値を下回ると決定することと、
前記第１のタイプの通信を提供するために前記残りのワイヤレスリソースの前記サブセットの少なくとも一部分を動的に再割り振りすることと
を備える、請求項４に記載の方法。
【請求項６】
アップリンクデータが前記第２のタイプの通信を使用して送信されるべきであるという送信を前記第２のタイプのＵＥから受信すること
をさらに備え、
ここにおいて、前記割り振ることが、前記第２のタイプのＵＥからの前記送信に少なくとも部分的に基づく、請求項１に記載の方法。
【請求項７】
前記割り振ることが、前記第２のタイプのＵＥの存在、またはデータサービスのタイプ、あるいはそれらの任意の組合せに基づいて半静的に実行される、請求項１に記載の方法。
【請求項８】
前記残りのワイヤレスリソースの前記割り振られたサブセットの指示を送信することをさらに備える、請求項１に記載の方法。
【請求項９】
前記指示は、
サブフレーム内の前記残りのワイヤレスリソースが前記第２のタイプの通信のために構成されたかどうかを示す存在指示チャネル
を備える、請求項８に記載の方法。
【請求項１０】
前記指示は、
前記第２のタイプの通信のために構成されたサブフレーム内の前記残りのワイヤレスリソースの前記サブセットについての形状または量を示す存在指示チャネル
を備える、請求項８に記載の方法。
【請求項１１】
第３のタイプのＵＥとの第３のタイプの通信のために前記残りのワイヤレスリソースからのワイヤレスリソースの他のサブセットを割り振ることと、ワイヤレスリソースの前記他のサブセットが前記残りのワイヤレスリソースの前記サブセットとは異なる、
前記残りのワイヤレスリソースの前記割り振られたサブセットとワイヤレスリソースの前記他のサブセットとの指示を、前記第２のタイプのＵＥ、前記第３のタイプのＵＥ、またはそれらの任意の組合せに送信することと
をさらに備える、請求項１に記載の方法。
【請求項１２】
前記第２のタイプのＵＥがマシンタイプ通信（ＭＴＣ）ＵＥを備える、請求項１１に記載の方法。
【請求項１３】
前記残りのワイヤレスリソースの前記他のサブセットは、前記ＭＴＣ  ＵＥが前記第１のタイプの通信とは無関係に前記第２のタイプの通信を受信するのに十分な制御および同期シグナリングを備える、請求項１２に記載の方法。
【請求項１４】
ワイヤレス通信のための装置であって、
第１のタイプのユーザ機器（ＵＥ）との第１のタイプの通信のためのシステム帯域幅内のワイヤレスリソースの予約済みセットと、前記予約済みセットの外部にあり、かつ前記システム帯域幅内にある残りのワイヤレスリソースとを識別するための手段と、
第２のタイプのＵＥとの第２のタイプの通信のために前記残りのワイヤレスリソースのサブセットを割り振るための手段と、ここにおいて、前記第１のタイプの通信と前記第２のタイプの通信とが、ラウンドトリップ時間（ＲＴＴ）またはデューティサイクルタイミングのうちの少なくとも１つに基づいて異なる、
を備え、
前記第１のタイプの通信が、第１の送信時間間隔（ＴＴＩ）をもつ第１のサブフレームタイプを有し、前記第２のタイプの通信が、前記第１のＴＴＩよりも小さい第２のＴＴＩをもつ第２のサブフレームタイプを有し、
前記第２のタイプの通信が、前記第１のタイプの通信におけるそのような確認応答よりも短い時間スケールで送信の受信の確認応答を与えるように構成された、装置。
【請求項１５】
実行されると、コンピュータに、請求項１〜１３のいずれか一項に記載の方法を実施させる命令を備える、コンピュータプログラム。
【発明の詳細な説明】
【技術分野】
【０００１】
相互参照
[0001]  本特許出願は、各々が本出願の譲受人に譲渡された、２０１５年８月１３日に出願された、「Low-Latency, Low-Bandwidth and Low Duty Cycle Operation in a Wireless Communication System」と題する、Ｂｈｕｓｈａｎらによる米国特許出願第１４／８２５，９９９号、および２０１４年９月２日に出願された、「Low-Latency, Low-Bandwidth and Low Duty Cycle Operation in a Wireless Communication System」と題する、Ｂｈｕｓｈａｎらによる米国仮特許出願第６２／０４４，８１４号の優先権を主張する。
【背景技術】
【０００２】
[0003]  以下は、一般にワイヤレス通信（wireless communication）に関し、より詳細には、ワイヤレス通信システムにおける異なるサービスのためのリソース割振り（resource allocation）と、割り振られたリソースのシグナリング（signaling）とのための技法に関する。
【０００３】
[0004]  ワイヤレス通信システムは、音声、ビデオ、パケットデータ、メッセージング、ブロードキャストなどの様々なタイプ（type）の通信コンテンツを提供するために広く展開されている。これらのシステムは、利用可能なシステムリソース（たとえば、時間、周波数、および出力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0005]  これらの多元接続技術は、異なるワイヤレスデバイスが都市、国家、地域、さらには地球規模で通信することを可能にする共通プロトコルを与えるために様々な電気通信規格において採用されている。例示的な電気通信規格はロングタームエボリューション（ＬＴＥ（登録商標））である。ＬＴＥは、スペクトル効率を改善し、コストを低下させ、サービスを改善し、新しいスペクトルを利用し、他のオープン規格とより良く一体化するように設計される。ＬＴＥは、ダウンリンク（ＤＬ）上でＯＦＤＭＡを使用し、アップリンク（ＵＬ）上でシングルキャリア周波数分割多元接続（ＳＣ−ＦＤＭＡ）を使用し、多入力多出力（ＭＩＭＯ）アンテナ技術を使用し得る。
【０００５】
[0006]  例として、ワイヤレス多元接続通信システムは、いくつかの基地局を含み得、各々は、場合によってはユーザ機器（ＵＥ：user equipment）として知られる複数の通信デバイスのための通信をサポートする。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。
【０００６】
[0007]  技術が進むにつれて、ワイヤレス通信ネットワーク内のいくつかのより高度なモバイルデバイスは、ネットワーク内で動作するレガシーモバイルデバイス（legacy mobile device）に対して、異なるタイミング特性に従って、または異なる制御情報を有する送信を使用して、送信される通信のための能力を有し得る。ネットワーク内のリソースは、高度モバイルデバイスならびにレガシーモバイルデバイスにサービスを提供するために使用され得、および／または高度モバイルデバイスに異なるタイプのサービスを提供するために使用され得る。いくつかの状況では、異なるモバイルデバイスに提供されるべきサービスおよび／またはサービスのタイプに基づいて異なるモバイルデバイスに基づいて、ワイヤレス通信ネットワークのリソースの割振り（allocation）においてフレキシビリティを与えることが望ましいことがある。
【発明の概要】
【０００７】
[0008]  説明する特徴は、一般に、ワイヤレス通信システムにおける異なるサービスのためのリソース割振りと、割り振られたリソースのシグナリングとのための１つまたは複数の改善されたシステム、方法、および／またはデバイスに関する。発展型ノードＢ（ｅＮＢ）および／またはＵＥは、２つまたはそれ以上の異なるタイプの通信（different types of communications）を使用してワイヤレス通信システム内で動作するように構成され得る。異なるタイプの通信は、たとえば、送信と、送信の受信の確認応答（acknowledgment）との間のラウンドトリップ時間（ＲＴＴ：round trip time）、ワイヤレス送信のための送信時間間隔（ＴＴＩ：transmission time interval）、および／またはワイヤレス送信のデューティサイクルタイミング（duty cycle timing）に基づいて異なり得る。レガシー通信（legacy communication）など、第１のタイプの通信のためのシステム帯域幅（system bandwidth）内の予約済みリソース（reserved resource）が識別され得る。システム帯域幅内の残りのリソースのいくつかまたは一部分が、たとえば、ＲＴＴ、ＴＴＩ、および／またはデューティサイクルタイミングに基づいて、第１のタイプの通信とは異なり得る他の通信のために割り振られ得る。
【０００８】
[0009]  異なるタイプの通信のために割り振られたリソースを示すために、シグナリングが使用され得る。そのようなシグナリングは、いくつかのリソースがいくつかのタイプの通信のために利用可能であることを示すための半静的および／または動的シグナリングを含み得る。たとえば、半静的シグナリング（semi-static signaling）は、異なるタイプの通信のための割振りを示すために使用され得、動的シグナリング（dynamic signaling）は、１つまたは複数のリソースを、特定のＴＴＩのための異なるタイプの通信に変更するために使用され得る。
【０００９】
[0010]  例示的な例の第１のセットでは、ワイヤレス通信のための方法について説明する。一構成では、本方法は、第１のタイプのユーザ機器（ＵＥ）との第１のタイプの通信のためのシステム帯域幅内のワイヤレスリソース（wireless resources）の予約済みセット（reserved set）と、予約済みセットの外部にあり、かつシステム帯域幅内にある残りのワイヤレスリソース（remaining wireless resource）とを識別すること（identifying）を含み得る。そのような構成では、本方法は、第２のタイプのＵＥとの第２のタイプの通信のために残りのワイヤレスリソースの少なくともサブセット（subset）を割り振ることを含み得、ここにおいて、第１のタイプの通信と第２のタイプの通信とは、ラウンドトリップ時間（ＲＴＴ）またはデューティサイクルタイミングのうちの少なくとも１つに基づいて異なる。
【００１０】
[0011]  例の第１のセットに従って、ワイヤレス通信のための装置について説明する。一構成では、本装置は、第１のタイプのユーザ機器（ＵＥ）との第１のタイプの通信のためのシステム帯域幅内のワイヤレスリソースの予約済みセットと、予約済みセットの外部にあり、かつシステム帯域幅内にある残りのワイヤレスリソースとを識別するための手段を含み得る。そのような構成では、本装置は、第２のタイプのＵＥとの第２のタイプの通信のために残りのワイヤレスリソースの少なくともサブセットを割り振るための手段を含み得、ここにおいて、第１のタイプの通信と第２のタイプの通信とは、ラウンドトリップ時間（ＲＴＴ）またはデューティサイクルタイミングのうちの少なくとも１つに基づいて異なる。
【００１１】
[0012]  例の第１のセットに従って、ワイヤレス通信のための別の装置について説明する。一構成では、本装置は、プロセッサと、プロセッサと電子通信しているメモリと、メモリに記憶された命令とを含み得る。命令は、第１のタイプのユーザ機器（ＵＥ）との第１のタイプの通信のためのシステム帯域幅内のワイヤレスリソースの予約済みセットと、予約済みセットの外部にあり、かつシステム帯域幅内にある残りのワイヤレスリソースとを識別するためにプロセッサによって実行可能であり得る。さらに、命令は、第２のタイプのＵＥとの第２のタイプの通信のために残りのワイヤレスリソースの少なくともサブセットを割り振るためにプロセッサによって実行可能であり得、ここにおいて、第１のタイプの通信と第２のタイプの通信とは、ラウンドトリップ時間（ＲＴＴ）またはデューティサイクルタイミングのうちの少なくとも１つに基づいて異なる。
【００１２】
[0013]  例の第１のセットに従って、ワイヤレス通信のためのコンピュータ実行可能コード（computer-executable code）を記憶する非一時的コンピュータ可読媒体（non-transitory computer-readable medium）について説明する。一構成では、コードは、第１のタイプのユーザ機器（ＵＥ）との第１のタイプの通信のためのシステム帯域幅内のワイヤレスリソースの予約済みセットと、予約済みセットの外部にあり、システム帯域幅内にある残りのワイヤレスリソースとを識別するためにプロセッサによって実行可能であり得る。さらに、コードは、第２のタイプのＵＥとの第２のタイプの通信のために残りのワイヤレスリソースの少なくともサブセットを割り振るためにプロセッサによって実行可能であり得、ここにおいて、第１のタイプの通信と第２のタイプの通信とは、ラウンドトリップ時間（ＲＴＴ）またはデューティサイクルタイミングのうちの少なくとも１つに基づいて異なる。
【００１３】
[0014]  例の第１のセットの方法、装置、および／または非一時的コンピュータ可読媒体のいくつかの態様では、第１のタイプの通信と第２のタイプの通信とはＲＴＴに基づいて異なり得、第１のタイプの通信は、第１のＲＴＴをもつ第１のサブフレームタイプ（subframe type）を有し得、第２のタイプの通信は、第１のＲＴＴよりも小さい第２のＲＴＴをもつ第２のサブフレームタイプを有し得る。いくつかの例では、第１のタイプの通信は、第１の送信時間間隔（ＴＴＩ）をもつ第１のサブフレームタイプを有し得、第２のタイプの通信は、第１のＴＴＩよりも小さい第２のＴＴＩをもつ第２のサブフレームタイプを有し得る。いくつかの例では、第１のタイプの通信と第２のタイプの通信とはデューティサイクルタイミングに基づいて異なり得、第１のタイプの通信は第１のデューティサイクル（duty cycle）に関連し、システム帯域幅の部分量（partial amount）または全量（full amount）のいずれかを利用し得、第２のタイプの通信は、第１のデューティサイクルよりも小さい第２のデューティサイクルに関連し、システム帯域幅よりも小さい帯域幅を利用し得る。
【００１４】
[0015]  例の第１のセットの方法、装置、および／または非一時的コンピュータ可読媒体のいくつかの態様では、割振りは、第２のタイプのＵＥのうちの少なくとも１つの存在を識別することと、第２のタイプのＵＥのうちの識別された少なくとも１つに提供されるべきデータサービス（data service）のタイプを識別することと、第２のタイプのＵＥに提供されるべきデータサービスのタイプに少なくとも部分的に基づいて、残りのワイヤレスリソースのサブセットを決定することとを含み得る。いくつかの例では、割振りは、第２のタイプのＵＥに提供されるべきデータサービスのタイプのためのデータキュー（data queue）中のデータの量がしきい値（threshold）を下回ると決定することと、第１のタイプの通信を提供するためにワイヤレスリソースのサブセットの少なくとも一部分を動的に再割り振り（dynamically re-allocating）することとを含み得る。
【００１５】
[0016]  例の第１のセットの方法、装置、および／または非一時的コンピュータ可読媒体のいくつかの態様では、方法、装置、および／または非一時的コンピュータ可読媒体は、第２のタイプの通信を使用してアップリンクデータが送信されるべきであるという送信を第２のタイプのＵＥから受信し、第２のタイプのＵＥからの送信に少なくとも部分的に基づいて割振りを実行し得る。いくつかの例では、割り振ることは、第２のタイプのＵＥの存在またはデータサービスのタイプのうちの１つまたは複数に基づいて半静的に実行され得る。いくつかの例では、ワイヤレスリソースの割り振られたサブセット（allocated subset）の示す指示（indication）が送信され得る。そのような指示は、たとえば、サブフレーム内の残りのワイヤレスリソースが第２のタイプの通信のために構成されたかどうかを示す存在指示チャネル（presence indication channel）を含み得る。いくつかの例では、指示は、第２のタイプの通信のために構成されたサブフレーム内の残りのワイヤレスリソースのサブセットについての形状（shape）または量（amount）を示す存在指示チャネルを含み得る。
【００１６】
[0017]  例の第１のセットの方法、装置、および／または非一時的コンピュータ可読媒体のいくつかの態様では、方法、装置、および／または非一時的コンピュータ可読媒体は、第３のタイプのＵＥとの第３のタイプの通信のために残りのワイヤレスリソースからのワイヤレス通信リソースの他のサブセットを割り振ることと、リソースの他のサブセットがリソースのサブセットとは異なる、リソースの割り振られたサブセットとリソースの他のサブセットとの指示を、第２のタイプのＵＥと第３のタイプのＵＥとのうちの１つまたは複数に送信することとを行い得る。いくつかの例では、第２のタイプのＵＥはマシンタイプ通信（ＭＴＣ：machine-type communication）ＵＥを備え、残りのワイヤレスリソースの他のサブセットは、ＭＴＣ  ＵＥが第１のタイプの通信とは無関係に（independently）第２のタイプの通信を受信するのに十分な制御および同期シグナリング（control and synchronization signaling）を含み得る。
【００１７】
[0018]  例示的な例の第２のセットでは、ワイヤレス通信のための方法について説明する。一構成では、本方法は、基地局と少なくとも１つのユーザ機器（ＵＥ）との間で送信されるべき第１のタイプのトラフィック（traffic）のための利用可能なワイヤレスリソースのサブセットを割り振ることを含み得る。そのような構成では、本方法は、基地局と少なくとも１つのＵＥとの間で送信されるべき第２のタイプのトラフィックのための利用可能なワイヤレスリソースのサブセットを割り振ることを含み得る。さらに、そのような構成では、本方法は、ワイヤレスリソースのサブセットの半静的指示（semi-static indication）を送信することと、基地局と少なくとも１つのＵＥとの間で送信されるべき第２のタイプのトラフィックの量に少なくとも部分的に基づいて、第１のタイプのトラフィックにリソースのサブセットの少なくとも一部分を動的に再割り振りすることとを含み得る。
【００１８】
[0019]  例の第２のセットに従って、ワイヤレス通信のための装置について説明する。一構成では、本装置は、基地局と少なくとも１つのユーザ機器（ＵＥ）との間で送信されるべき第１のタイプのトラフィックのための利用可能なワイヤレスリソースのサブセットを割り振るための手段を含み得る。そのような構成では、本装置は、基地局と少なくとも１つのＵＥとの間で送信されるべき第２のタイプのトラフィックのための利用可能なワイヤレスリソースのサブセットを割り振るための手段と、ワイヤレスリソースのサブセットの半静的指示を送信するための手段と、基地局と少なくとも１つのＵＥとの間で送信されるべき第２のタイプのトラフィックの量に少なくとも部分的に基づいて、第１のタイプのトラフィックにリソースのサブセットの少なくとも一部分を動的に再割り振りするための手段とを含み得る。
【００１９】
[0020]  例の第２のセットに従って、ワイヤレス通信のための別の装置について説明する。一構成では、本装置は、プロセッサと、プロセッサと電子通信しているメモリと、メモリに記憶された命令とを含み得る。命令は、基地局と少なくとも１つのユーザ機器（ＵＥ）との間で送信されるべき第１のタイプのトラフィックのための利用可能なワイヤレスリソースのサブセットを割り振るためにプロセッサによって実行可能であり得る。命令は、基地局と少なくとも１つのＵＥとの間で送信されるべき第２のタイプのトラフィックのための利用可能なワイヤレスリソースのサブセットを割り振ることと、ワイヤレスリソースのサブセットの半静的指示を送信することと、基地局と少なくとも１つのＵＥとの間で送信されるべき第２のタイプのトラフィックの量に少なくとも部分的に基づいて、第１のタイプのトラフィックにリソースのサブセットの少なくとも一部分を動的に再割り振りすることとを行うためにプロセッサによって実行可能であり得る。
【００２０】
[0021]  例の第２のセットに従って、ワイヤレス通信のためのコンピュータ実行可能コードを記憶する非一時的コンピュータ可読媒体について説明する。一構成では、コードは、基地局と少なくとも１つのユーザ機器（ＵＥ）との間で送信されるべき第１のタイプのトラフィックのための利用可能なワイヤレスリソースのサブセットを割り振るためにプロセッサによって実行可能であり得る。さらに、コードは、基地局と少なくとも１つのＵＥとの間で送信されるべき第２のタイプのトラフィックのための利用可能なワイヤレスリソースのサブセットを割り振ることと、ワイヤレスリソースのサブセットの半静的指示を送信することと、基地局と少なくとも１つのＵＥとの間で送信されるべき第２のタイプのトラフィックの量に少なくとも部分的に基づいて、第１のタイプのトラフィックにリソースのサブセットの少なくとも一部分を動的に再割り振りすることとを行うためにプロセッサによって実行可能であり得る。
【００２１】
[0022]  例の第２のセットの方法、装置、および／または非一時的コンピュータ可読媒体のいくつかの態様では、第１のタイプのトラフィックは、第１のラウンドトリップ時間（ＲＴＴ）をもつ第１のサブフレームタイプを有し得、第２のタイプのトラフィックは、第１のＲＴＴよりも小さい第２のＲＴＴをもつ第２のサブフレームタイプを有し得る。いくつかの例では、第１のタイプの通信は第１のデューティサイクルに関連し、システム帯域幅の全量を利用し得、第２のタイプの通信は、第１のデューティサイクルよりも小さい第２のデューティサイクルに関連し、システム帯域幅よりも小さい帯域幅を利用し得る。いくつかの例では、半静的指示の送信は、サブセットの指示とワイヤレスリソースのサブセットとを含むシステム情報ブロック（ＳＩＢ：system information block）を送信することを含み得る。
【００２２】
[0023]  例の第２のセットの方法、装置、および／または非一時的コンピュータ可読媒体のいくつかの態様では、リソースのサブセットの少なくとも一部分の動的再割振り（dynamic re-allocation）は、データキュー中の第２のタイプのトラフィックの量がしきい値を下回ると決定することと、第１のタイプのトラフィックを与えるためにワイヤレスリソースのサブセットの少なくとも一部分を動的に再割り振りすることとを含み得る。いくつかの例では、方法、装置、および／または非一時的コンピュータ可読媒体は、第２のトラフィックタイプのアップリンクデータの存在が送信されるべきであることを示す送信を少なくとも１つのＵＥから受信し、少なくとも１つのＵＥからの送信に少なくとも部分的に基づいてリソースを動的に再割り振りし得る。いくつかの例では、サブフレーム内の残りのワイヤレスリソースが第２のタイプの通信のために構成されたかどうかを示す存在指示チャネル、または第２のタイプの通信のために構成されたサブフレーム内の残りのワイヤレスリソースのサブセットについての形状または量を示す存在指示チャネルを含み得る、ワイヤレスリソースのサブセットの再割振り（re-allocation）の指示が送信され得る。
【００２３】
[0024]  例示的な例の第３のセットでは、ワイヤレス通信のための方法について説明する。一構成では、本方法は、基地局と少なくとも１つのＵＥとの間の、第１のタイプのトラフィックの送信のためのワイヤレスリソースのサブセットと第２のタイプのトラフィックの送信のためのワイヤレスリソースのサブセットとを示す半静的割振りを受信することを含み得る。そのような構成では、本方法は、基地局と少なくとも１つのＵＥとの間で送信されるべき第２のタイプのトラフィックの量に少なくとも部分的に基づいて、第１のタイプのトラフィックへのリソースのサブセットの少なくとも一部分の動的再割振りを受信することを含み得る。いくつかの例では、第１のタイプのトラフィックは、第１のラウンドトリップ時間（ＲＴＴ）をもつ第１のサブフレームタイプを有し、第２のタイプのトラフィックは、第１のＲＴＴよりも小さい第２のＲＴＴをもつ第２のサブフレームタイプを有する。
【００２４】
[0025]  例の第３のセットに従って、ワイヤレス通信のための装置について説明する。一構成では、本装置は、基地局と少なくとも１つのＵＥとの間の、第１のタイプのトラフィックの送信のためのワイヤレスリソースのサブセットと第２のタイプのトラフィックの送信のためのワイヤレスリソースのサブセットとを示す半静的割振りを受信するための手段を含み得る。そのような構成では、本装置は、基地局と少なくとも１つのＵＥとの間で送信されるべき第２のタイプのトラフィックの量に少なくとも部分的に基づいて、第１のタイプのトラフィックへのリソースのサブセットの少なくとも一部分の動的再割振りを受信するための手段を含み得、ただし、第１のタイプのトラフィックは、第１のラウンドトリップ時間（ＲＴＴ）をもつ第１のサブフレームタイプを有し、第２のタイプのトラフィックは、第１のＲＴＴよりも小さい第２のＲＴＴをもつ第２のサブフレームタイプを有する。
【００２５】
[0026]  例の第３のセットに従って、ワイヤレス通信のための別の装置について説明する。一構成では、本装置は、プロセッサと、プロセッサと電子通信しているメモリと、メモリに記憶された命令とを含み得る。命令は、基地局と少なくとも１つのＵＥとの間の、第１のタイプのトラフィックの送信のためのワイヤレスリソースのサブセットと第２のタイプのトラフィックの送信のためのワイヤレスリソースのサブセットとを示す半静的割振りを受信するためにプロセッサによって実行可能であり得る。さらに、命令は、基地局と少なくとも１つのＵＥとの間で送信されるべき第２のタイプのトラフィックの量に少なくとも部分的に基づいて、第１のタイプのトラフィックへのリソースのサブセットの少なくとも一部分の動的再割振りを受信するためにプロセッサによって実行可能であり得、ただし、第１のタイプのトラフィックは、第１のラウンドトリップ時間（ＲＴＴ）をもつ第１のサブフレームタイプを有し、第２のタイプのトラフィックは、第１のＲＴＴよりも小さい第２のＲＴＴをもつ第２のサブフレームタイプを有する。
【００２６】
[0027]  例の第３のセットに従って、ワイヤレス通信のためのコンピュータ実行可能コードを記憶する非一時的コンピュータ可読媒体について説明する。一構成では、コードは、基地局と少なくとも１つのＵＥとの間の、第１のタイプのトラフィックの送信のためのワイヤレスリソースのサブセットと第２のタイプのトラフィックの送信のためのワイヤレスリソースのサブセットとを示す半静的割振りを受信するためにプロセッサによって実行可能であり得る。さらに、コードは、基地局と少なくとも１つのＵＥとの間で送信されるべき第２のタイプのトラフィックの量に少なくとも部分的に基づいて、第１のタイプのトラフィックへのリソースのサブセットの少なくとも一部分の動的再割振りを受信するためにプロセッサによって実行可能であり得、ただし、第１のタイプのトラフィックは、第１のラウンドトリップ時間（ＲＴＴ）をもつ第１のサブフレームタイプを有し、第２のタイプのトラフィックは、第１のＲＴＴよりも小さい第２のＲＴＴをもつ第２のサブフレームタイプを有する。
【００２７】
[0028]  例の第３のセットの方法、装置、および／または非一時的コンピュータ可読媒体のいくつかの態様では、半静的指示の受信は、サブセットの指示とワイヤレスリソースのサブセットとを含むシステム情報ブロック（ＳＩＢ）を受信することを含み得る。いくつかの例では、第２のタイプのトラフィックがデータキュー中にあるという指示を含むスケジューリング要求が送信され得、動的再割振りはスケジューリング要求に少なくとも部分的に基づき得る。いくつかの例では、動的再割振りの受信は、無線フレームの各サブフレーム内で、各サブフレーム内のリソースのサブセットが第２のタイプのトラフィックのために構成されたかどうかを示す存在指示チャネルを受信することを含み得る。
【００２８】
[0029]  例示的な例の第４のセットでは、ワイヤレス通信のための方法について説明する。一構成では、本方法は、基地局と第１のタイプのユーザ機器（ＵＥ）との間で送信されるべき第１のタイプのトラフィックのための利用可能なワイヤレスリソースのサブセットを割り振ることを含み得、サブセットは、第１のデューティサイクルに関連し、利用可能なワイヤレスリソースの全システム帯域幅（full system bandwidth）を利用する。そのような構成では、本方法は、基地局と第２のタイプのＵＥとの間で送信されるべき第２のタイプのトラフィックのための利用可能なワイヤレスリソースのサブセットを割り振ることを含み得、サブセットは、第１のデューティサイクルよりも長い第２のデューティサイクルに関連し、全システム帯域幅内にあり、それよりも小さい帯域幅を利用する。
【００２９】
[0030]  例の第４のセットに従って、ワイヤレス通信のための装置について説明する。一構成では、本装置は、基地局と第１のタイプのユーザ機器（ＵＥ）との間で送信されるべき第１のタイプのトラフィックのための利用可能なワイヤレスリソースのサブセットを割り振るための手段を含み得、サブセットは、第１のデューティサイクルに関連し、利用可能なワイヤレスリソースの全システム帯域幅を利用する。そのような構成では、本装置は、基地局と第２のタイプのＵＥとの間で送信されるべき第２のタイプのトラフィックのための利用可能なワイヤレスリソースのサブセットを割り振るための手段を含み得、サブセットは、第１のデューティサイクルよりも長い第２のデューティサイクルに関連し、全システム帯域幅内にあり、それよりも小さい帯域幅を利用する。
【００３０】
[0031]  例の第４のセットに従って、ワイヤレス通信のための別の装置について説明する。一構成では、本装置は、プロセッサと、プロセッサと電子通信しているメモリと、メモリに記憶された命令とを含み得る。命令は、基地局と第１のタイプのユーザ機器（ＵＥ）との間で送信されるべき第１のタイプのトラフィックのための利用可能なワイヤレスリソースのサブセットを割り振るためにプロセッサによって実行可能であり得、サブセットは、第１のデューティサイクルに関連し、利用可能なワイヤレスリソースの全システム帯域幅を利用する。さらに、命令は、基地局と第２のタイプのＵＥとの間で送信されるべき第２のタイプのトラフィックのための利用可能なワイヤレスリソースのサブセットを割り振るためにプロセッサによって実行可能であり得、サブセットは、第１のデューティサイクルよりも長い第２のデューティサイクルに関連し、全システム帯域幅内にあり、それよりも小さい帯域幅を利用する。
【００３１】
[0032]  例の第４のセットに従って、ワイヤレス通信のためのコンピュータ実行可能コードを記憶する非一時的コンピュータ可読媒体について説明する。一構成では、コードは、基地局と第１のタイプのユーザ機器（ＵＥ）との間で送信されるべき第１のタイプのトラフィックのための利用可能なワイヤレスリソースのサブセットを割り振るためにプロセッサによって実行可能であり得、サブセットは、第１のデューティサイクルに関連し、利用可能なワイヤレスリソースの全システム帯域幅を利用する。さらに、コードは、基地局と第２のタイプのＵＥとの間で送信されるべき第２のタイプのトラフィックのための利用可能なワイヤレスリソースのサブセットを割り振るためにプロセッサによって実行可能であり得、サブセットは、第１のデューティサイクルよりも長い第２のデューティサイクルに関連し、全システム帯域幅内にあり、それよりも小さい帯域幅を利用する。
【００３２】
[0033]  例の第４のセットの方法、装置、および／または非一時的コンピュータ可読媒体のいくつかの態様では、リソースのサブセットは、第２のタイプのＵＥが利用可能なワイヤレスリソースのサブセットのみを使用して第２のタイプのトラフィックを受信するのに十分な独立型制御および基準信号情報（self-contained control and reference signal information）を含み得る。いくつかの例では、ワイヤレスリソースのサブセットは、異なるデューティサイクルに従って動作する第２のタイプのＵＥの異なるＵＥのための制御および基準信号情報の送信のためのワイヤレスリソースを含み得る。いくつかの例では、第２のタイプのＵＥはマシンタイプ通信（ＭＴＣ）ＵＥを含み得る。
【００３３】
[0034]  例示的な例の第５のセットでは、ワイヤレス通信のための方法について説明する。一構成では、本方法は、基地局から、システム帯域幅内で、第１のタイプのトラフィックのためのワイヤレスリソースのサブセットと第２のタイプのトラフィックの送信のためのワイヤレスリソースのサブセットとを示す割振りを受信することを含み得、サブセットは第１のデューティサイクルに関連し、システム帯域幅の全量を利用し、サブセットは、第１のデューティサイクルよりも長い第２のデューティサイクルに関連し、システム帯域幅よりも小さい帯域幅を利用する。そのような構成では、本方法は、ワイヤレスリソースのサブセットを使用して基地局との間で第２のタイプのトラフィックを送信および受信することを含み得る。
【００３４】
[0035]  例の第５のセットに従って、ワイヤレス通信のための装置について説明する。一構成では、本装置は、基地局から、システム帯域幅内で、第１のタイプのトラフィックのためのワイヤレスリソースのサブセットと第２のタイプのトラフィックの送信のためのワイヤレスリソースのサブセットとを示す割振りを受信するための手段を含み得、サブセットは第１のデューティサイクルに関連し、システム帯域幅の全量を利用し、サブセットは、第１のデューティサイクルよりも長い第２のデューティサイクルに関連し、システム帯域幅よりも小さい帯域幅を利用する。そのような構成では、本装置は、ワイヤレスリソースのサブセットを使用して基地局との間で第２のタイプのトラフィックを送信および受信するための手段を含み得る。
【００３５】
[0036]  例の第５のセットに従って、ワイヤレス通信のための別の装置について説明する。一構成では、本装置は、プロセッサと、プロセッサと電子通信しているメモリと、メモリに記憶された命令とを含み得る。命令は、基地局から、システム帯域幅内で、第１のタイプのトラフィックのためのワイヤレスリソースのサブセットと第２のタイプのトラフィックの送信のためのワイヤレスリソースのサブセットとを示す割振りを受信するためにプロセッサによって実行可能であり得、サブセットは第１のデューティサイクルに関連し、システム帯域幅の全量を利用し、サブセットは、第１のデューティサイクルよりも長い第２のデューティサイクルに関連し、システム帯域幅よりも小さい帯域幅を利用する。そのような構成では、命令は、ワイヤレスリソースのサブセットを使用して基地局との間で第２のタイプのトラフィックを送信および受信するためにプロセッサによって実行可能であり得る。
【００３６】
[0037]  例の第５のセットに従って、ワイヤレス通信のためのコンピュータ実行可能コードを記憶する非一時的コンピュータ可読媒体について説明する。一構成では、コードは、基地局から、システム帯域幅内で、第１のタイプのトラフィックのためのワイヤレスリソースのサブセットと第２のタイプのトラフィックの送信のためのワイヤレスリソースのサブセットとを示す割振りを受信するためにプロセッサによって実行可能であり得、サブセットは第１のデューティサイクルに関連し、システム帯域幅の全量を利用し、サブセットは、第１のデューティサイクルよりも長い第２のデューティサイクルに関連し、システム帯域幅よりも小さい帯域幅を利用する。さらに、コードは、ワイヤレスリソースのサブセットを使用して基地局との間で第２のタイプのトラフィックを送信および受信するためにプロセッサによって実行可能であり得る。
【００３７】
[0038]  例の第５のセットの方法、装置、および／または非一時的コンピュータ可読媒体のいくつかの態様では、リソースのサブセットは、利用可能なワイヤレスリソースのサブセットのみを使用して第２のタイプのトラフィックを送信および受信するのに十分な独立型制御および基準信号情報を含み得る。いくつかの例では、第２のタイプのトラフィックはマシンタイプ通信（ＭＴＣ）トラフィックを含み得る。
【００３８】
[0039]  上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特徴、それらの編成と動作方法の両方は、関連する利点とともに、添付の図に関連して以下の説明を検討するとより良く理解されよう。図の各々は、例示および説明のみの目的で提供され、特許請求の範囲の限界を定めるものではない。
【００３９】
[0040]  本発明の性質および利点のさらなる理解は、以下の図面を参照して実現され得る。添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００４０】
【図１】[0041]  本開示の様々な態様による、ワイヤレス通信システムのブロック図。
【図２】[0042]  本開示の様々な態様による、いくつかのサブフレームと、ワイヤレス通信システムにおいてレガシー通信のために予約され得るサブフレーム内のリソースとの一例を概念的に示す図。
【図３】[0043]  本開示の様々な態様による、ワイヤレス通信システムにおいて使用され得るリソース区分の一例を示す図。
【図４】[0044]  本開示の様々な態様による、ワイヤレス通信システムの異なるリソースを使用して送信され得る低レイテンシおよびレガシー通信のための無線フレームの一例を概念的に示す図。
【図５】[0045]  本開示の様々な態様による、ワイヤレス通信システムにおいて使用され得るリソース区分の別の例を示す図。
【図６】[0046]  本開示の様々な態様による、いくつかのサブフレームと、レガシー通信のために予約され得るサブフレーム内のリソースと、ワイヤレス通信システムにおいて他のタイプの通信のために割り振られ得る他のリソースとの一例を概念的に示す図。
【図７】[0047]  本開示の様々な態様による、ワイヤレス通信において使用するために構成されたデバイスのブロック図。
【図８】[0048]  本開示の様々な態様による、ワイヤレス通信において使用するために構成されたデバイスのブロック図。
【図９】[0049]  本開示の様々な態様による、ワイヤレス通信システムのブロック図。
【図１０】[0050]  本開示の様々な態様による、ワイヤレス通信において使用するための装置のブロック図。
【図１１】[0051]  本開示の様々な態様による、ワイヤレス通信において使用するための装置のブロック図。
【図１２】[0052]  本開示の様々な態様による、ワイヤレス通信において使用するための基地局（たとえば、ｅＮＢの一部または全部を形成する基地局）のブロック図。
【図１３】[0053]  本開示の様々な態様による、ワイヤレス通信のための方法の一例を示すフローチャート。
【図１４】[0054]  本開示の様々な態様による、ワイヤレス通信のための方法の一例を示すフローチャート。
【図１５】[0055]  本開示の様々な態様による、ワイヤレス通信のための方法の別の例を示すフローチャート。
【図１６】[0056]  本開示の様々な態様による、ワイヤレス通信のための方法の別の例を示すフローチャート。
【図１７】[0057]  本開示の様々な態様による、ワイヤレス通信のための方法の別の例を示すフローチャート。
【発明を実施するための形態】
【００４１】
[0058]  異なるタイプの通信のための利用可能なワイヤレスリソースの異なる部分のリソース割振りのための技法、およびリソース割振りのシグナリングのための技法について説明する。いくつかの例では、基地局および１つまたは複数のＵＥは、たとえば、確立されたＬＴＥ通信プロトコルによるレガシー通信、レガシー通信に対して低減されたＲＴＴを有する低レイテンシ通信（low latency communication）、および／または他のタイプの通信に対して増加されたデューティサイクルタイミングを有する低デューティサイクル通信（low duty cycle communication）など、２つまたはそれ以上の異なるタイプの通信を使用してワイヤレス通信システム内で動作するように構成され得る。ワイヤレス通信システムのシステム帯域幅内のリソースはレガシー通信のために識別され得、システム帯域幅内の残りのリソースの全部または一部分は、低レイテンシ通信または低デューティサイクル通信など、他のタイプの通信のために割り振られ得る。いくつかの例では、他のタイプの通信は、無認可無線周波数スペクトル帯域（unlicensed radio frequency spectrum band）を使用してニューキャリアタイプ（ＮＣＴ：new carrier type）サービスまたはＬＴＥサービスを提供し得る。他の（１つまたは複数の）タイプの通信は、たとえば、ＲＴＴ、ＴＴＩ、またはデューティサイクルタイミングに基づいて、レガシー通信とは異なり得る。
【００４２】
[0059]  シグナリングは、他の通信のために割り振られたリソースを示すために使用され得、いくつかのリソースが、レガシー通信に対して低減されたＲＴＴを有する低レイテンシ通信、またはレガシー通信に対して増加されたデューティサイクルタイミングを有する通信など、他のタイプの通信のために利用可能であることを示すための半静的または動的シグナリングを含み得る。たとえば、半静的シグナリングは、たとえば、システム情報ブロック（ＳＩＢ）を介して、異なるタイプの通信のための割振りを示すために使用され得、動的シグナリングは、１つまたは複数のリソースを、特定のＴＴＩのための異なるタイプの通信に変更するために使用され得る。ある例では、存在指示チャネル（ＰＩＣ：presence indication channel）が、１つまたは複数のＴＴＩのためのあるタイプの通信のためのデータの存在を示すために使用され得、関連するＴＴＩのためのそのタイプの通信は、ＰＩＣ中の情報に基づいて変更され得る。
【００４３】
[0060]  以下の説明は、例を与えるものであり、特許請求の範囲に記載される範囲、適用性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００４４】
[0061]  図１に、本開示の様々な態様による、ワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ：Internet Protocol）接続性と、他のアクセス、ルーティング、またはモビリティ機能とを与え得る。基地局１０５は、バックホールリンク（backhaul link）１３２（たとえば、Ｓ１など）を通してコアネットワーク１３０とインターフェースし、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信し得る。
【００４５】
[0062]  基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅＮＢ、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロセル基地局および／またはスモールセル基地局）を含み得る。異なる技術のための重複する地理的カバレージエリア１１０があり得る。
【００４６】
[0063]  いくつかの例では、ワイヤレス通信システム１００は、基地局１０５およびＵＥ１１５が、たとえば、確立されたＬＴＥ通信プロトコルによるレガシー通信、レガシー通信に対して低減されたＲＴＴを有する低レイテンシ通信、および／または他のタイプの通信に対して増加されたデューティサイクルタイミングを有する低デューティサイクル通信など、２つまたはそれ以上の異なるタイプの通信を使用して動作するように構成され得る、ＬＴＥ／ＬＴＥ−Ａネットワークである。ＬＴＥ／ＬＴＥ−Ａネットワークでは、ｅＮＢという用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、および／または他のタイプのセルに通信カバレージを与え得る。「セル（cell）」という用語は、コンテキストに応じて、基地局、基地局に関連するキャリアまたはコンポーネントキャリア（component carrier）、あるいはキャリアまたは基地局のカバレージエリア（たとえば、セクタなど）を表すために使用され得る第３世代パートナーシッププロジェクト（３ＧＰＰ（登録商標））用語である。
【００４７】
[0064]  マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可（licensed）、無認可（unlicensed）などの）周波数帯域内で動作し得る、低電力基地局である。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００４８】
[0065]  ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００４９】
[0066]  レガシー通信と呼ばれる、３ＧＰＰ  ＬＴＥおよびＬＴＥ−Ａに適合する（たとえば、リリース１０、１１および１２に適合する）、ワイヤレス通信システム１００のシステム帯域幅内の予約済みリソースが、いくつかの例では、識別され得る。システム帯域幅内の残りのリソースの全部または一部分は、以下でより詳細に説明するように、低レイテンシ通信または低デューティサイクル通信など、他のタイプの通信のために割り振られ得る。シグナリングは、他の通信のために割り振られたリソースを示すために使用され得、いくつかのリソースが、レガシー通信に対して低減されたＲＴＴを有する低レイテンシ通信、またはレガシー通信に対して増加されたデューティサイクルタイミングを有する通信など、他のタイプの通信のために利用可能であることを示すための半静的または動的シグナリングを含み得る。
【００５０】
[0067]  様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実行し得る。媒体アクセス制御（ＭＡＣ：Medium Access Control）レイヤが、優先度ハンドリングと、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ：Radio Resource Control）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００５１】
[0068]  ＵＥ１１５はワイヤレス通信システム１００全体にわたって分散され、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、マシンタイプ通信（ＭＴＣ）デバイス、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。いくつかの実装形態では、ＭＴＣデバイスは、車両、センサー、および／あるいはメーター（たとえば、ガスメーターまたはパーキングメーター）、家庭用電気器具、ヘルスケアデバイス、または他の監視デバイスなど、ＭＴＣデバイスを使用し得る多数の他の適用例のいずれかに含まれるかまたはそれとともに動作し得る。ＵＥは、マクロｅＮＢ、スモールセルｅＮＢ、リレー基地局などを含む、様々なタイプの基地局およびネットワーク機器と通信することが可能であり得る。
【００５２】
[0069]  ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、（たとえば、対スペクトルリソース（paired spectrum resource）を使用する）ＦＤＤまたは（たとえば、不対スペクトルリソース（unpaired spectrum resource）を使用する）ＴＤＤ動作を使用して、双方向通信を送信し得る。ＦＤＤのためのフレーム構造（たとえば、フレーム構造タイプ（frame structure type）１）およびＴＤＤのためのフレーム構造（たとえば、フレーム構造タイプ２）が定義され得る。
【００５３】
[0070]  システム１００のいくつかの実施形態では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ：multiple-input, multiple-output）技法を採用し得る。
【００５４】
[0071]  ワイヤレス通信システム１００は、複数のセルまたはキャリア上での動作、すなわち、キャリアアグリゲーション（ＣＡ：carrier aggregation）またはマルチキャリア動作と呼ばれることがある機能をサポートし得る。キャリアは、コンポーネントキャリア（ＣＣ：component carrier）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００５５】
[0072]  上記で説明したように、様々な例は、複数の異なるタイプの通信をサポートし得る、図１のワイヤレス通信システム１００など、ワイヤレス通信システムにおける通信を与える。たとえば、第１のレイテンシモード（latency mode）に従って動作し得る、第１のタイプの通信は、レガシーＬＴＥ通信のために指定されているフレーム構造、スロット、シンボル、およびサブキャリア間隔を使用し得る。たとえば、ＬＴＥ／ＬＴＥ−Ａにおける時間間隔は、基本時間単位（たとえば、サンプリング周期、Ｔｓ＝１／３０，７２０，０００秒）の倍数単位で表され得る。時間リソースは、０から１０２３にわたるシステムフレーム番号（ＳＦＮ：system frame number）によって識別され得る１０ｍｓの長さの無線フレーム（Ｔｆ＝３０７２００Ｔｓ）に従って編成され得る。各フレームは、０から９までの番号を付けられた１０個の１ｍｓサブフレームを含み得る。サブフレームは、さらに２つの０．５ｍｓスロットに分割され得、その各々は、（各シンボルにプリペンドされたサイクリックプレフィックス（cyclic prefix）の長さに応じて）６つまたは７つの変調シンボル期間を含んでいる。サイクリックプレフィックスを除いて、各シンボルは、２０４８個のサンプル期間を含んでいる。さらに、第１のレイテンシモードでの通信は、ダウンリンク通信のためのページングまたは制御チャネルを通して、ならびにアップリンク通信のためのスケジューリング要求およびランダムアクセスプロシージャを通してなど、レガシーＬＴＥ技法を通して開始され得る。
【００５６】
[0073]  第２のタイプの通信は、たとえば、送信と、送信の確認応答（acknowledgment）との間のラウンドトリップ時間（ＲＴＴ）がレガシー通信のためのＲＴＴに対して低減される、第２のレイテンシモード、または低レイテンシモード（low latency mode）に従って動作し得る。さらに、低レイテンシモードでの通信は、たとえば、レガシーＬＴＥシンボルに対して低減されたシンボル持続時間を通して、低減された送信時間間隔（ＴＴＩ：transmission time interval）を有するシンボルを使用し得る。したがって、場合によっては、レガシーＬＴＥサブフレームは、最小スケジューリングユニットまたはＴＴＩであり得る。低レイテンシ動作または低レイテンシモードをサポートするシステムのために含む他の場合には、ＴＴＩは、サブフレームよりも短くなり得るか、または送信バースト中で（たとえば、短いＴＴＩバースト中で、または短いＴＴＩを使用する選択されたコンポーネントキャリア中で）採用され得る。場合によっては、１つまたは複数のシンボルがより短いＴＴＩのために使用され得、ただし、各ＴＴＩはアップリンクシンボルまたはダウンリンクシンボルのいずれかであり得る。システム１００は、異なる持続時間のＴＴＩをもつＵＥ１１５動作をサポートし得、そのようなシステムでは、より長い持続時間ＴＴＩはレガシーＴＴＩと呼ばれることがあり、より短い持続時間ＴＴＩは低レイテンシＴＴＩと呼ばれることがある。第１および／または第２のタイプの通信による通信は、そのような通信のために、利用可能なワイヤレス通信システム１００リソース内のリソースを割り振ることによって与えられ得る。
【００５７】
[0074]  第３のタイプの通信は、たとえば、第１および第２のタイプの通信のデューティサイクルタイミングに対して増加されたデューティサイクルタイミングに従って動作し得る。さらに、いくつかの例では、第３のタイプの通信は、低減されたシステム帯域幅を使用し得る。第２および／または第３のタイプの通信による通信は、そのような通信のために、利用可能なワイヤレス通信システム１００リソース内のリソースを割り振ることによって与えられ得る。
【００５８】
[0075]  図２は、無線フレーム２００の部分と、送信され得る異なるサブフレーム２０５および２１０との一例を概念的に示す図である。図２の無線フレームは、たとえば、１つまたは複数の基地局１０５および／または１つまたは複数のＵＥ１１５の間で、図１を参照しながら説明したワイヤレス通信システム１００の部分を使用して送信され得る。上述のように、異なるタイプのＵＥ（たとえば、図１のＵＥ１１５）が与えられ得、異なる能力を有し得る。たとえば、レガシーＵＥは、レガシープロトコルに従って通信を送信および受信することが可能であり得るが、他のＵＥは、低レイテンシ通信または低デューティサイクル通信を送信および受信することが可能であり得る。レガシーＵＥとの適合性を維持するために、異なる通信タイプの各々の通信は、レガシーＵＥとのレガシー通信のために必要とされるリソースのセットを保持する必要があるであろう。
【００５９】
[0076]  図２は、我々に１０ｍｓの無線フレームをつくる１ｍｓサブフレーム２０５、２１０を与える、レガシーＵＥによって認識されるラスタ間隔（raster spacing）に従って送信され得る様々なリソースの例を示している。各サブフレーム２０５、２１０内で、物理ダウンリンク制御チャネル（ＰＤＣＣＨ：physical downlink control channel）２１５が、様々なレガシー制御情報を与え得るサブフレーム２０５、２１０の第１のシンボル中で与えられる。レガシー通信のための、サブフレーム２０５として図２に示されている５番目ごとのサブフレームは、レガシーＵＥによって予想されるいくつかのタイプの同期およびブロードキャストシグナリングを含み得る。そのようなシグナリングは、１次同期信号（ＰＳＳ：primary synchronization signal）と、２次同期信号（ＳＳＳ：secondary synchronization signal）と、物理ブロードキャストチャネル（ＰＢＣＨ：physical broadcast channel）とを含み得る。このシグナリングは、サブフレーム２０５の中心の６つのリソースブロック（resource block）中のＰＳＳ／ＳＳＳ／ＰＢＣＨ領域２２０中で与えられる。さらに、共通基準信号（ＣＲＳ：common reference signal）２２５が、ＰＤＣＣＨ２１５内で、およびＰＳＳ／ＳＳＳサブフレーム２０５中のシステム帯域幅の少なくとも一部分上で送信される。レガシー通信のためのこれらのリソースは、様々な例によれば、レガシーＵＥとの適合性を与えるために維持される予約済みリソースであり得る。残りのリソースは、次いで、レガシーチャネルと、低レイテンシ通信を与える低レイテンシチャネル（low latency channel）、および／または低デューティサイクル通信を与え得る低デューティサイクルチャネル（low duty cycle channel）など、１つまたは複数の他のチャネルとの間で共有され得る。
【００６０】
[0077]  次に図３を参照しながら、本開示の態様による、ワイヤレス通信システムの異なるリソースを使用するレガシー通信および低レイテンシ通信の例を概念的に示すブロック図３００について説明する。図３の通信は、たとえば、１つまたは複数の基地局１０５（たとえば、ｅＮＢ）と１つまたは複数のＵＥ１１５との間で、図１を参照しながら説明したワイヤレス通信システム１００の部分を使用して送信され得る。図３の例では、システム帯域幅３０５内のワイヤレスリソースは、レガシー制御領域（legacy control region）３１０と、低レイテンシサービス領域（low latency service region）３１５と、レガシーＬＴＥサービス領域３２０とを含み得る。そのような構成は、ＦＤＭ通信またはＴＤＭ通信のいずれかの場合に使用され得る。レガシー制御領域３１０は、いくつかの例では、様々なレガシー制御およびシグナリング情報を含み得る、各サブフレームの最初の１つまたは２つのシンボルを含み得る。いくつかの例では、レガシー制御領域はまた、図２に関して上記で説明したような、いくつかのサブフレームの中心の６つのリソースブロックとＣＲＳリソース要素とを含み得る。
【００６１】
[0078]  低レイテンシタイプ通信（low latency type communication）に関して、図４は、本開示の態様による、いくつかのワイヤレス通信リソース４０５がレガシーおよび低レイテンシモードアクセスを与えるように構成され得る異なる通信タイプの一例を概念的に示す図４００である。図４のワイヤレスリソース４０５は、たとえば、１つまたは複数の基地局１０５と１つまたは複数のＵＥ１１５との間で、図１を参照しながら説明したワイヤレス通信システム１００の部分を使用して送信され得る。この例では、ワイヤレス通信リソース４０５のサブセット４１０がレガシーＬＴＥサービスを提供し得る。ワイヤレス通信リソース４０５のサブセットは低レイテンシ通信のために構成され得、レガシーＬＴＥサブフレームに対する追加のシンボルを含むか、またはレガシーＬＴＥ通信と低レイテンシモード通信とを動的に共有し得るタイプのサブフレームを含み得る。いくつかの例によれば、低レイテンシサービス（low latency service）４２０は、薄い（thin）リソースブロック（ＲＢ：resource block）を含み得、各薄いＲＢは、時間的に１つのＯＦＤＭシンボルにわたり、１４４個の連続するサブキャリアにわたる。薄いＲＢ内のいくつかのリソース要素（ＲＥ：resource element）はＵＥ基準信号（ＵＥ−ＲＳ：UE reference signal）に専用であり得、いくつかのＲＥはＰＤＣＣＨ送信に専用であり得、薄いＲＢ内の残りのＲＥは、物理ダウンリンク共有チャネル（ＰＤＳＣＨ：physical downlink shared channel）送信を与える。
【００６２】
[0079]  いくつかの例では、レガシーサービス（legacy service）のためのリソースのサブセット４１０は、ＵＥのためのキャンピング、モビリティ、および関係するタスクを扱うように構成され得る。リソースのサブセット４１５は、そのような通信を送信および受信することが可能であるＵＥに低レイテンシサービス４２０を提供するように構成され得る。低レイテンシサービス４２０は、様々な例では、ＨＡＲＱ方式による確認応答／否定応答（ＡＣＫ／ＮＡＣＫ）など、送信の受信の確認応答を、レガシーサービス４１０におけるそのような確認応答よりも著しく短い時間スケールで与えるように構成され得る。いくつかの例では、シンボル４２０はＵＥに送信されるデータを含み得、シンボル４２５は、送信の受信の確認応答を与えるために使用され得る。いくつかの例では、通信の受信の確認応答は、送信からｎ＋４個のシンボル後にくる第１の利用可能なシンボル中で与えられ得る。そのようにして、確認応答は比較的急速に与えられ得、必要な再送信は、レガシー通信中で与えられる同様の機能よりも著しく少ない時間において開始され得る。たとえば、レガシー通信は、送信の後の第４のサブフレームで開始する受信の確認応答を与え、したがって、４ｍｓの最小ＲＴＴを与え得、低レイテンシサービス４２０は、レガシーシンボルよりも低いＴＴＩをもつシンボルを有し、送信の後の第４のシンボルで開始する受信の確認応答を与え、したがって、いくつかの例では、１ｍｓよりも実質的に小さいＲＴＴを与え得る。
【００６３】
[0080]  いくつかの例では、リソース割当ては、レガシーサービスのためのリソースのサブセット４１０中に含まれる制御シグナリング（control signaling）を使用して通信され得る。たとえば、リソースのサブセット４１５の割振りが決定されると、この割振りは、リソースのサブセットを使用して送信されるシステム情報ブロック（ＳＩＢ）などを通して、半静的シグナリングを使用してＵＥに送信され得る。いくつかの例では、リソースのサブセット４１０のためのリソースの半静的割振りおよびリソースのサブセット４１０は、たとえば、いくつかの例を挙げれば、低レイテンシサービスを受信することが可能である特定の時間に存在するＵＥのタイプ、異なるＵＥに与えられるべきであるトラフィックフローのタイプ（たとえば、遅延敏感トラフィック対遅延鈍感トラフィック（delay sensitive traffic versus delay insensitive traffic））、システム利用率（system utilization）、および／またはチャネル状態（channel condition）を含む、いくつかのファクタに基づいて決定され得る。
【００６４】
[0081]  いくつかの例では、リソースの半静的割振りは、低レイテンシ通信のために割り振られたリソースをレガシー通信に変更するために動的に変更され得る。そのような動的再割振りは、リソースのサブセットの少なくとも一部分に対して行われ得、基地局と少なくとも１つのＵＥとの間で送信されるべき低レイテンシトラフィックの量に少なくとも部分的に基づき得る。たとえば、基地局は、低レイテンシデータサービスのためのデータキュー中のデータの量がしきい値を下回ると決定し得、レガシーサービスを提供するためにワイヤレスリソースのサブセット４１５の少なくとも一部分を動的に再割り振りし得る。さらなる例では、基地局は、ＵＥから、アップリンクデータが低レイテンシ通信を使用して送信されるべきであるという送信を受信し得、リソースのサブセット４１５の割振りは、低レイテンシアップリンク通信が存在するという指示に基づいて決定され得る。
【００６５】
[0082]  リソースの動的再割振りは、いくつかの例では、サブフレーム内の残りのワイヤレスリソースが低レイテンシ通信のために構成されたかどうかを示す存在指示チャネル（ＰＩＣ：presence indication channel）を通して与えられ得る。ＰＩＣは、たとえば、低レイテンシ通信のために構成されたサブフレーム内の残りのワイヤレスリソースのサブセットについての形状または量を示すか、あるいはサブフレーム内の残りのワイヤレスリソースが低レイテンシ通信のために構成されたかどうかを示し得る。ＰＩＣは、いくつかの例では、薄いＲＢの１つのＲＥ中に含まれ得、低レイテンシセグメント（low latency segment）の実際の形状に関する情報を搬送し得る。低レイテンシセグメントの形状は、半静的シグナリング中に記載された公称形状によって上限が定められ得、ＰＩＣ中の情報は特定のリソースについての実際の形状を示し得る。たとえば、「オフ」（たとえば、論理０）であるＰＩＣ信号は、ある時間期間（たとえば、サブフレーム）の間の低レイテンシリソース（low latency resource）のサブセット全体がデフォルトまたはレガシー動作によってリクレーム（reclaim）されたことを示し得る。
【００６６】
[0083]  いくつかの例では、低レイテンシサービスが提供されるべきである場合、各サブフレームは、少なくともいくつかの低レイテンシリソースを含むように割り振られ、ＰＩＣは、そのような場合、これらの低レイテンシリソースが必要とされないことと、これらのリソースのためのレガシー動作が行われることとを示し得る。いくつかの例では、低レイテンシリソースを探すＵＥが、そのリソースのためのＰＩＣ信号を復号し得、ＰＩＣが正常に復号された場合、ＵＥは、次いで、リソースの実際の形状ならびにリソース中に埋め込まれたＰＤＣＣＨを推論し、ＵＥは、次いで、リソースのためのＰＤＣＣＨおよびＰＤＳＣＨ等価送信（equivalent transmission）を復号し得る。アップリンク送信の場合、基地局は、次のサブフレーム期間の間、低レイテンシリソースの動的割振りを告知するために第１のＰＤＣＣＨシンボルを使用し得る。前に発行されたアップリンク許可は、直近の低レイテンシセグメント告知によってゲートされ得る。したがって、実際のトラフィック必要に基づいて動的に再割り振りされ得るリソースの半静的割振りが与えられ得、これは、ワイヤレス通信の向上を与えるためのワイヤレスネットワークにおけるフレキシビリティを与え得る。
【００６７】
[0084]  上述のように、いくつかの例では、低デューティサイクルサービス（low duty cycle service）は、レガシー送信のために予約されたリソースの外部の利用可能なワイヤレス通信リソースの一部分中で提供され得る。本開示の態様による、ワイヤレス通信システムの異なるリソースを使用するレガシー通信および低デューティサイクル通信の例を概念的に示す図５のブロック図５００について説明する。図５の通信は、たとえば、１つまたは複数の基地局１０５（たとえば、ｅノードＢ（ｅＮＢ））と１つまたは複数のＵＥ１１５との間で、図１を参照しながら説明したワイヤレス通信システム１００の部分を使用して送信され得る。図５の例では、システム帯域幅５０５内のワイヤレスリソースは、レガシー制御領域５１０と、低レイテンシサービス領域５１５と、低帯域幅低デューティサイクルサービス領域（low bandwidth low duty cycle service region）５２０と、レガシーＬＴＥサービス領域５２５とを含み得る。そのような構成は、ＦＤＭ通信またはＴＤＭ通信のいずれかの場合に使用され得る。レガシー制御領域５１０は、いくつかの例では、上記で説明したような、様々なレガシー制御とシグナリング情報とを含み得る、各サブフレームの最初の１つまたは２つのシンボルを含み得る。いくつかの例では、レガシー制御領域５１０はまた、図２に関して上記で説明したような、いくつかのサブフレームの中心の６つのリソースブロックとＣＲＳリソース要素とを含み得る。
【００６８】
[0085]  低レイテンシサービス領域５１５は、上記で説明したような、低レイテンシ通信のためのリソースを含んでいることがある。低帯域幅低デューティサイクル（ＬＢＬＤ：low bandwidth low duty cycle）サービス領域５２０は、レガシー通信または低レイテンシ通信に対して増加されたデューティサイクルを有するＬＢＬＤ通信のためのリソースを含み得る。場合によっては、ＬＢＬＤ通信はまた、システム帯域幅５０５の部分量を占有し得る。いくつかの例では、ＬＢＬＤ通信はＭＴＣデバイスに与えられ得、ＭＴＣデバイスは、関連するデューティサイクル期間中のみに監視するようにプログラムされ得、したがって電力を温存し得る。したがって、ＬＢＬＤ通信は、ワイヤレスリソースの別のサブセットを与え得る。いくつかの例では、ＬＢＬＤ通信は、ＭＴＣ  ＵＥが、通信のレガシーまたは低レイテンシタイプとは無関係に、より短い、全システム帯域幅５０５をも占有し得るデューティサイクルを有するＬＢＬＤ通信を受信するのに十分な完全に独立型の制御および同期シグナリングを与える。いくつかの例では、各ＬＢＬＤセグメント５２０は、所定の数のサブフレームごとに１回繰り返すいくつかの連続するＲＢを含み得る。たとえば、各ＬＢＬＤセグメントは６つの連続するＲＢを含み、１０個のサブフレームごとに１回繰り返し、したがって、１０％のデューティサイクルを与え得る。いくつかの例では、異なるＵＥは異なるデューティサイクルのためにプログラムされ得、ＬＢＬＤ通信のためのリソースは、存在するデバイスのデューティサイクルに従って割り振られ得る。たとえば、２０％のデューティサイクルをもつデバイスは、１０個ごとのサブフレームのうちの２つにおいてＬＢＬＤリソースの割振りを生じ得、１％のデューティサイクルをもつデバイスは、１００個ごとのサブフレームのうちの１つにおいてＬＢＬＤリソースの割振りを生じ得る。
【００６９】
[0086]  ＬＢＬＤリソースの割振りおよびシグナリングは、低レイテンシリソース割振りに関して上記で説明したのと同様にして与えられ得る。ＬＢＬＤリソースの割振りは半静的に行われ得、リソースは、上記で説明したのと同様にして動的に再割り振りされ得る。低レイテンシ通信とＬＢＬＤ通信の両方のために割振りが行われる例では、シグナリングは、いずれかまたは両方のサービスにリソースの割振りおよび動的再割振りを与え得る。さらに、他のサービスがワイヤレス通信リソースのうちのいくつかを割り振られ得る場合、シグナリングは、同様にして任意の数のそのような追加のサービスを示すために与えられ得る。
【００７０】
[0087]  図６は、無線フレーム６００の部分と、送信され得る異なるサブフレーム６０５および６１０との一例を概念的に示す図である。図６の無線フレームは、たとえば、１つまたは複数の基地局１０５および／または１つまたは複数のＵＥ１１５の間で、図１を参照しながら説明したワイヤレス通信システム１００の部分を使用して送信され得る。上述のように、異なるタイプのＵＥ（たとえば、図１のＵＥ１１５）が与えられ得、異なる能力を有し得る。たとえば、レガシーＵＥは、レガシープロトコルに従って通信を送信および受信することが可能であり得るが、他のＵＥは、低レイテンシ通信を送信および受信することが可能であり得、ＭＴＣデバイスは、低デューティサイクル通信に従って送信および受信することが可能であり得る。
【００７１】
[0088]  図６は、様々な例による、送信され得る様々なワイヤレス通信リソースを示している。この例では、レガシーＰＤＣＣＨ信号６１５、レガシーＰＳＳ／ＳＳＳ／ＰＢＣＨ領域６２０、およびレガシーＣＲＳ  ＲＥ６２５は、図２の場合と同様に示され、第１のタイプの通信（たとえば、レガシーＵＥとのレガシー通信）のための予約済みリソースとして識別される。この例では、残りのワイヤレスリソースのサブセットが第２のタイプのＵＥとの第２のタイプの通信のために割り振られ、これは、図６の例では、低レイテンシ通信をサポートするＵＥのために割り振られた低レイテンシサービスリソース６３０を含む。上記で説明したように、低レイテンシリソースがシステムにおいて割り振られるいくつかの例では、各サブフレームは低レイテンシリソースのいくらかの量を含み得、そのようなリソースは、特定のサブフレームに応じて異なるリソースであり得る。たとえば、サブフレーム６１０−ａでは、低レイテンシサービスリソース６３０は、サブフレームの中心の６つのリソースブロックの一部分を占有し得るが、サブフレーム６０５−ａ、６０５−ｂ、および６０５−ｃ中で割り振られた低レイテンシサービスリソース６３０は、これらの予約済みリソースを占有しないように割り振られる。
【００７２】
[0089]  さらに、図６の例では、いくつかのＬＢＬＤリソース６３５〜６４５も割り振られ得る。いくつかの例では、ＬＢＬＤリソース６３５は、第１のデューティサイクルを有するＵＥのために割り振られ得、ＬＢＬＤリソース６４０は、第２のデューティサイクルを有するＵＥのために割り振られ得、ＬＢＬＤリソース６４５は、第３のデューティサイクルを有するＵＥのために割り振られ得る。上記で説明したように、ＭＴＣデバイスなどのＵＥのデューティサイクルは、ＵＥが、デバイスのデューティサイクルによって定義された限られた時間の間チャネルを監視しさえすればよいように定義され得、これは、そのようなデバイスの電力効率の向上を可能にし得る。したがって、図６の波形は、複数の異なる通信タイプのために使用され得る複数の差分セグメント（difference segment）を与える。当業者によって容易に認識されるように、図６の例は、多くの異なる例のうちの１つにすぎないことを理解されたい。
【００７３】
[0090]  図７に、本開示の様々な態様による、ワイヤレス通信において使用するためのデバイス７０５のブロック図７００を示す。デバイス７０５は、たとえば、図１を参照しながら説明したＵＥ１１５の１つまたは複数の態様の一例であり得る。デバイス７０５は、受信機モジュール７１０、ワイヤレス通信管理モジュール（wireless communications management module）７１５、および／または送信機モジュール７２０を含み得る。デバイス７０５はまた、プロセッサ（図示せず）であるか、またはプロセッサを含み得る。これらのモジュールの各々は互いと通信していることがある。
【００７４】
[0091]  デバイス７０５において示されているモジュールは、適用可能な機能の一部または全部をハードウェアで実行するように適応された１つまたは複数の特定用途向け集積回路（ＡＳＩＣ）を使用して、個々にまたはまとめて実装され得る。追加または代替として、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【００７５】
[0092]  受信機モジュール７１０は、パケット、ユーザデータ、および／または様々な情報チャネル（たとえば、制御チャネル、データチャネルなど）に関連する、および１つまたは複数の異なる通信タイプ（たとえば、レガシーＬＴＥ通信、低レイテンシ通信、無認可スペクトル上でのＬＴＥ通信、ＮＣＴ通信など）による、制御情報などの情報を受信し得る。受信機モジュール７１０は、たとえば、異なるタイプの通信のためのリソースの割振りを示すシグナリングを受信するように構成され得る。情報は、ワイヤレス通信管理モジュール７１５に、およびデバイス７０５の他の構成要素に受け渡され得る。
【００７６】
[0093]  ワイヤレス通信管理モジュール７１５は、デバイス４０５における異なるサービスによる通信のために使用されるべきサービスおよび／またはワイヤレスリソース接続を識別することに関係する様々な機能を実行するように構成され得る。これは、割り振られたリソースを識別することと、アクティブなサービスを識別することと、識別されたサービスおよびリソースに従って通信を送信および受信するために関連する機能を実行することとを含み得、それらは、図２〜図６を参照しながら上記で説明した機能の一例であり得る。
【００７７】
[0094]  送信機モジュール７２０は、デバイス７０５の他の構成要素から受信された１つまたは複数の信号を送信し得る。送信機モジュール７２０は、割り振られたリソースを使用して、およびワイヤレス通信管理モジュール７１５によって識別されたサービスのタイプに従ってワイヤレス送信を送信し得る。いくつかの例では、送信機モジュール７２０は、トランシーバモジュール（図示せず）において受信機モジュール７１０とコロケート（collocate）され得る。
【００７８】
[0095]  図８に、様々な例による、ワイヤレス通信において使用するためのデバイス７０５−ａのブロック図８００を示す。デバイス７０５−ａは、図１を参照しながら説明したＵＥ１１５の１つまたは複数の態様の一例であり得る。デバイス７０５−ａはまた、図７を参照しながら説明したデバイス７０５の一例であり得る。デバイス７０５−ａは、受信機モジュール７１０−ａ、ワイヤレス通信管理モジュール７１５−ａ、および／または送信機モジュール７２０−ａを含み得、それらは、デバイス７０５の対応するモジュールの例であり得る。デバイス７０５−ａはまた、プロセッサ（図示せず）を含み得る。これらのモジュールの各々は互いと通信していることがある。ワイヤレス通信管理モジュール７１５−ａは、リソース割振りモジュール（resource allocation module）８０５と、スケジューリング要求モジュール（（scheduling request module））８１０と、存在指示チャネル（ＰＩＣ）受信モジュールとを含み得る。受信機モジュール７１０−ａおよび送信機モジュール７２０−ａは、それぞれ、図７の受信機モジュール７１０および送信機モジュール７２０の機能を実行し得る。
【００７９】
[0096]  ワイヤレス通信管理モジュール７１５−ａ内で、リソース割振りモジュール８０５は、１つまたは複数のタイプの通信のためのリソース割振りを決定し得る。たとえば、リソース割振りモジュール８０５は、レガシーおよび低レイテンシ通信のために割り振られたリソースの半静的指示を受信し得る。さらに、いくつかの例では、リソース割振りモジュール８０５は、図２〜図６に関して上記で説明したのと同様にして、デバイス７０５−ａが異なるタイプの通信のために使用すべきであるリソースの動的再割振りを受信し得る。スケジューリング要求モジュール８１０は、ある例では、デバイス７０５−ａが、異なる通信タイプに従って送信されるべきデータを含むと決定し得、これは、通信タイプに従って通信のためのリソース割振りを与えるように基地局に促し得る。ＰＩＣ受信モジュール８１５は、いくつかの例では、ＰＩＣ中で情報を受信し得、１つまたは複数のリソースが異なる通信タイプに動的に再割り振りされたと決定し得る。
【００８０】
[0097]  図９に、様々な例による、ワイヤレス通信において使用するためのシステム９００を示す。システム９００はまた、図１のＵＥ１１５の一例であり得るＵＥ１１５−ａを含み得る。ＵＥ１１５−ａはまた、図７および／または図８のデバイス７０５の１つまたは複数の態様の一例であり得る。
【００８１】
[0098]  ＵＥ１１５−ａは、概して、通信を送信するための構成要素と通信を受信するための構成要素とを含む、双方向音声およびデータ通信のための構成要素を含み得る。ＵＥ１１５−ａは、（１つまたは複数の）アンテナ９４０と、トランシーバモジュール９３５と、プロセッサモジュール９０５と、（ソフトウェア（ＳＷ）９２０を含む）メモリ９１５とを含み得、それらはそれぞれ、（たとえば、１つまたは複数のバス９４５を介して）直接的または間接的に互いに通信し得る。トランシーバモジュール９３５は、上記で説明したように、（１つまたは複数の）アンテナ９４０、および／あるいは１つまたは複数のワイヤードもしくはワイヤレスリンクを介して、１つまたは複数のネットワークと双方向に通信するように構成され得る。たとえば、トランシーバモジュール９３５は、図１〜図６を参照しながら上記で説明したような、基地局１０５と双方向に通信するように構成され得る。トランシーバモジュール９３５は、パケットを変調し、変調されたパケットを送信のために（１つまたは複数の）アンテナ９４０に与え、（１つまたは複数の）アンテナ９４０から受信されたパケットを復調するように構成されたモデムを含み得る。トランシーバモジュール９３５は、複数のコンポーネントキャリアを介して１つまたは複数の基地局１０５と同時に通信することが可能であり得る。
【００８２】
[0099]  ＵＥ１１５−ａは、図７および図８のデバイス７０５のワイヤレス通信管理モジュール７１５のための上記で説明した機能を実行し得るＵＥワイヤレス通信管理モジュール７１５−ｂを含み得る。ＵＥ１１５−ａはまた、図２〜図６に関して上記で説明したように低レイテンシ通信に関係する動作を扱い得る随意の低レイテンシモジュール９２５を含み得る。ＵＥ１１５−ａはまた、図２〜図６に関して上記で説明したようにＬＢＬＤ通信に関係する動作を扱い得る随意のＬＢＬＤモジュール９３０を含み得る。
【００８３】
[0100]  メモリ９１５は、ランダムアクセスメモリ（ＲＡＭ）と読取り専用メモリ（ＲＯＭ）とを含み得る。メモリ９１５は、実行されたとき、プロセッサモジュール９０５に本明細書で説明する様々な機能（たとえば、リソース割振り決定、動的再割振り、およびサービスについてのスケジューリング要求を送信することなど）を実行させるように構成された命令を含んでいるコンピュータ可読、コンピュータ実行可能ソフトウェア／ファームウェアコード９２０を記憶し得る。代替的に、コンピュータ可読、コンピュータ実行可能ソフトウェア／ファームウェアコード９２０は、プロセッサモジュール９０５によって直接的に実行可能でないことがあるが、（たとえば、コンパイルされ、実行されたとき）コンピュータに本明細書で説明する機能を実行させるように構成され得る。プロセッサモジュール９０５は、インテリジェントハードウェアデバイス、たとえば、中央処理ユニット（ＣＰＵ）、マイクロコントローラ、特定用途向け集積回路（ＡＳＩＣ）などを含み得る。
【００８４】
[0101]  図１０に、本開示の様々な態様による、ワイヤレス通信において使用するための装置１００５のブロック図１０００を示す。いくつかの例では、装置１００５は、図１を参照しながら説明した基地局１０５のうちの１つまたは複数の態様の一例であり得る。いくつかの例では、装置１００５は、ＬＴＥ／ＬＴＥ−Ａ  ｅＮＢおよび／またはＬＴＥ／ＬＴＥ−Ａ基地局の一部であるか、またはそれを含み得る。装置１００５はまた、プロセッサであり得る。装置１００５は、受信機モジュール１０１０、ワイヤレス通信管理モジュール１０１５、および／または送信機モジュール１０２０を含み得る。これらのモジュールの各々は互いと通信していることがある。
【００８５】
[0102]  装置１００５の構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００８６】
[0103]  いくつかの例では、受信機モジュール１０１０は、たとえば、異なる通信タイプに従って通信を受信するように動作可能な無線周波数（ＲＦ）受信機など、少なくとも１つのＲＦ受信機を含み得る。受信機モジュール１０１０は、図１を参照しながら説明したワイヤレス通信システム１００の１つまたは複数の通信リンクなど、ワイヤレス通信システムの１つまたは複数の通信リンク上で様々なタイプのデータおよび／または制御信号（すなわち、送信）を受信するために使用され得る。
【００８７】
[0104]  いくつかの例では、送信機モジュール１０２０は、たとえば、異なる通信タイプに従って通信を送信するように動作可能な少なくとも１つのＲＦ送信機など、少なくとも１つのＲＦ送信機を含み得る。送信機モジュール１０２０は、図１を参照しながら説明したワイヤレス通信システム１００の１つまたは複数の通信リンクなど、ワイヤレス通信システムの１つまたは複数の通信リンク上で様々なタイプのデータおよび／または制御信号（すなわち、送信）を送信するために使用され得る。
【００８８】
[0105]  いくつかの例では、ワイヤレス通信管理モジュール１０１５は、装置１００５における異なるサービスによる通信のために使用されるべきサービスおよび／またはワイヤレスリソース割振りを識別することに関係する、様々な機能を実行する。これは、割り振られたリソースを識別することと、アクティブなサービスを識別することと、識別されたサービスおよびリソースに従って通信を送信および受信するために関連する機能を実行することとを含み得、それらは、図２〜図６を参照しながら上記で説明した機能の一例であり得る。
【００８９】
[0106]  図１１に、本開示の様々な態様による、ワイヤレス通信において使用するための装置１００５−ａのブロック図１１００を示す。いくつかの例では、装置１００５−ａは、図１を参照しながら説明した基地局１０５のうちの１つまたは複数の態様の一例、および／または図１０を参照しながら説明した装置１００５の態様の一例であり得る。いくつかの例では、装置１００５−ａは、ＬＴＥ／ＬＴＥ−Ａ  ｅＮＢおよび／またはＬＴＥ／ＬＴＥ−Ａ基地局一部であるか、またはそれを含み得る。装置１００５−ａはまた、プロセッサであり得る。装置１００５−ａは、受信機モジュール１０１０−ａ、ワイヤレス通信管理モジュール１０１５−ａ、および／または送信機モジュール１０２０−ａを含み得る。これらのモジュールの各々は互いと通信していることがある。
【００９０】
[0107]  装置１００５−ａの構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００９１】
[0108]  いくつかの例では、受信機モジュール１０１０−ａは、図１０を参照しながら説明した受信機モジュール１０１０の１つまたは複数の態様の一例であり得る。いくつかの例では、受信機モジュール１０１０−ａは、異なる通信タイプに従って通信を受信するように動作可能な少なくとも１つの無線周波数（ＲＦ）受信機など、少なくとも１つのＲＦ受信機を含み得る。受信機モジュール１０１０−ａは、図１を参照しながら説明したワイヤレス通信システム１００の１つまたは複数の通信リンクなど、ワイヤレス通信システムの１つまたは複数の通信リンク上で様々なタイプのデータおよび／または制御信号（すなわち、送信）を受信するために使用され得る。
【００９２】
[0109]  いくつかの例では、送信機モジュール１０２０−ａは、図１０を参照しながら説明した送信機モジュール１０２０の１つまたは複数の態様の一例であり得る。いくつかの例では、送信機モジュール１０２０−ａは、異なる通信タイプに従って通信を送信するように動作可能な少なくとも１つのＲＦ送信機など、少なくとも１つのＲＦ送信機を含み得る。送信機モジュール１０２０−ａは、図１を参照しながら説明したワイヤレス通信システム１００の１つまたは複数の通信リンクなど、ワイヤレス通信システムの１つまたは複数の通信リンク上で様々なタイプのデータおよび／または制御信号（すなわち、送信）を送信するために使用され得る。
【００９３】
[0110]  ワイヤレス通信管理モジュール７１５−ａ内で、リソース割振りモジュール１１０５は、１つまたは複数のタイプの通信のためのリソース割振りを決定し得る。たとえば、リソース割振りモジュール１１０５は、レガシー、低レイテンシ通信、およびＬＢＬＤ通信のために割り振られた半静的リソースを割り振り得る。さらに、いくつかの例では、リソース再割振りモジュール（resource re-allocation module）１１１０は、図２〜図６に関して上記で説明したのと同様にして、装置１００５−ａが異なるタイプの通信のために使用すべきであるリソースの動的再割振りを決定し得る。ＰＩＣモジュール１１１５は、いくつかの例では、たとえば、装置１００５−ａとＵＥ１１５とデバイス７０５とによって送信されるべきデータの動的決定に基づいて、ＰＩＣを与え得、１つまたは複数のリソースが異なる通信タイプに動的に再割り振りされるべきであると決定し、ＰＩＣ中に指示を含め得る。
【００９４】
[0111]  図１２に、本開示の様々な態様による、ワイヤレス通信において使用するための基地局１０５−ａ（たとえば、ｅＮＢの一部または全部を形成する基地局）のブロック図１２００を示す。いくつかの例では、基地局１０５−ａは、図１を参照しながら説明した基地局１０５のうちの１つまたは複数の態様、ならびに／あるいは図１０および／または図１１を参照しながら説明したように、基地局として構成されたときの装置１００５のうちの１つまたは複数の態様の一例であり得る。基地局１０５−ａは、図２〜図１１を参照しながら説明した基地局および／または装置の特徴および機能のうちの少なくともいくつかを実装するかまたは可能にするように構成され得る。
【００９５】
[0112]  基地局１０５−ａは、基地局プロセッサモジュール１２１０、基地局メモリモジュール１２２０、（（１つまたは複数の）基地局トランシーバモジュール１２５０によって表される）少なくとも１つの基地局トランシーバモジュール、（（１つまたは複数の）基地局アンテナ１２５５によって表される）少なくとも１つの基地局アンテナ、および／または基地局ワイヤレス通信管理モジュール１０１５−ｂを含み得る。基地局１０５−ａはまた、基地局通信モジュール１２３０および／またはネットワーク通信モジュール１２４０のうちの１つまたは複数を含み得る。これらのモジュールの各々は、１つまたは複数のバス１２３５上で、直接または間接的に互いと通信していることがある。
【００９６】
[0113]  基地局メモリモジュール１２２０は、ランダムアクセスメモリ（ＲＡＭ）および／または読取り専用メモリ（ＲＯＭ）を含み得る。基地局メモリモジュール１２２０は、実行されたとき、ワイヤレス通信（たとえば、リソース割振り、リソース再割振りなど）に関係する本明細書で説明する様々な機能を基地局プロセッサモジュール１２１０に実行させるように構成された命令を含んでいるコンピュータ可読、コンピュータ実行可能ソフトウェア／ファームウェアコード１２２５を記憶し得る。代替的に、コンピュータ可読、コンピュータ実行可能ソフトウェア／ファームウェアコード１２２５は、基地局プロセッサモジュール１２１０によって直接的に実行可能でないことがあるが、（たとえば、コンパイルされ、実行されたとき）本明細書で説明する機能のうちのいくつかを基地局１０５−ａに実行させるように構成され得る。
【００９７】
[0114]  基地局プロセッサモジュール１２１０は、インテリジェントハードウェアデバイス、たとえば、中央処理ユニット（ＣＰＵ）、マイクロコントローラ、ＡＳＩＣなどを含み得る。基地局プロセッサモジュール１２１０は、（１つまたは複数の）基地局トランシーバモジュール１２５０、基地局通信モジュール１２３０、および／またはネットワーク通信モジュール１２４０を通して受信された情報を処理し得る。基地局プロセッサモジュール１２１０はまた、（１つまたは複数の）アンテナ１２５５を通した送信のために（１つまたは複数の）トランシーバモジュール１２５０に送られるべき情報、１つまたは複数の他の基地局１０５−ｂおよび１０５−ｃへの送信のために基地局通信モジュール１２３０に送られるべき情報、ならびに／または図１を参照しながら説明したコアネットワーク１３０の１つまたは複数の態様の一例であり得る、コアネットワーク１２４５への送信のためにネットワーク通信モジュール１２４０に送られるべき情報を処理し得る。基地局プロセッサモジュール１２１０は、単独で、または基地局ワイヤレス通信管理モジュール１０１５−ｂとともに、図２〜図６に関して上記で説明したような、リソース割振りおよび動的再割振りの様々な態様を扱い得る。
【００９８】
[0115]  （１つまたは複数の）基地局トランシーバモジュール１２５０は、パケットを変調し、変調されたパケットを送信のために（１つまたは複数の）基地局アンテナ１２５５に与え、（１つまたは複数の）基地局アンテナ１２５５から受信されたパケットを復調するように構成されたモデムを含み得る。（１つまたは複数の）基地局トランシーバモジュール１２５０は、いくつかの例では、１つまたは複数の基地局送信機モジュールおよび１つまたは複数の別個の基地局受信機モジュールとして実装され得る。（１つまたは複数の）基地局トランシーバモジュール１２５０は、第１の無線周波数スペクトル帯域および／または第２の無線周波数スペクトル帯域における通信をサポートし得る。（１つまたは複数の）基地局トランシーバモジュール１２５０は、（１つまたは複数の）アンテナ１２５５を介して、図１を参照しながら説明したＵＥ１１５のうちの１つまたは複数など、１つまたは複数のＵＥまたは装置と双方向に通信するように構成され得る。基地局１０５−ａは、たとえば、複数の基地局アンテナ１２５５（たとえば、アンテナアレイ）を含み得る。基地局１０５−ａは、ネットワーク通信モジュール１２４０を通してコアネットワーク１２４５と通信し得る。基地局１０５−ａはまた、基地局通信モジュール１２３０を使用して、基地局１０５−ｂおよび１０５−ｃなど、他の基地局と通信し得る。
【００９９】
[0116]  基地局ワイヤレス通信管理モジュール１０１５−ｂは、リソース割振りと、提供されるべきサービスの識別と、リソース再割振りとに関係する、図２〜図６を参照しながら説明した特徴および／または機能の一部または全部を実行および／または制御するように構成され得る。基地局ワイヤレス通信管理モジュール１０１５−ｂ、またはモジュール１０１５−ｂの部分はプロセッサを含み得、ならびに／あるいは基地局ワイヤレス通信管理モジュール１０１５−ｂの機能の一部または全部は、基地局プロセッサモジュール１２１０によって実行されるか、および／または基地局プロセッサモジュール１２１０とともに実行され得る。いくつかの例では、基地局ワイヤレス通信管理モジュール１０１５−ｂは、図１０および／または図１１を参照しながら説明した基地局ワイヤレス通信管理モジュール１０１５および／または１０１５−ａの一例であり得る。
【０１００】
[0117]  図１３は、本開示の様々な態様による、ワイヤレス通信のための方法１３００の一例を示すフローチャートである。明確にするために、方法１３００について、図１および／または図１２を参照しながら説明した基地局１０５のうちの１つまたは複数の態様、ならびに／あるいは図１０および／または図１１を参照しながら説明したデバイスのうちの１つまたは複数の態様に関して以下で説明する。いくつかの例では、基地局は、以下で説明する機能を実行するように基地局の機能要素を制御するためのコードの１つまたは複数のセットを実行し得る。追加または代替として、基地局は、専用ハードウェアを使用して、以下で説明する機能のうちの１つまたは複数を実行し得る。
【０１０１】
[0118]  ブロック１３０５において、方法１３００は、第１のタイプのユーザ機器（ＵＥ）との第１のタイプの通信のためのシステム帯域幅内のワイヤレスリソースの予約済みセットと、予約済みセットの外部にあり、システム帯域幅内にある残りのワイヤレスリソースとを識別することを含み得る。ブロック１３０５の動作は、たとえば、図１０、図１１、および／または図１２の送信機モジュール１０２０および／またはワイヤレス通信管理モジュール１０１５、ならびに／あるいは関連する受信機／アンテナによって実行され得る。
【０１０２】
[0119]  ブロック１３１０において、本方法は、第２のタイプのＵＥとの第２のタイプの通信のために残りのワイヤレスリソースの少なくともサブセットを割り振ることを含み得る。第１のタイプの通信と第２のタイプの通信とは、たとえば、ラウンドトリップ時間（ＲＴＴ）またはデューティサイクルタイミングのうちの少なくとも１つに基づいて異なる。ブロック１３１０における（１つまたは複数の）動作は、たとえば、図１０、図１１、および／または図１２の送信機モジュール１０２０および／またはワイヤレス通信管理モジュール１０１５、ならびに／あるいは関連する受信機／アンテナによって実行され得る。送信機モジュール１０２０の例示的な構造実装形態は、図１２の基地局トランシーバモジュール１２５０および（１つまたは複数の）基地局アンテナ１２５５であり得る。
【０１０３】
[0120]  したがって、方法１３００はワイヤレス通信を提供し得る。方法１３００は一実装形態にすぎないこと、および方法１３００の動作は、他の実装形態が可能であるように、並べ替えられるかまたは場合によっては変更され得ることに留意されたい。
【０１０４】
[0121]  図１４は、本開示の様々な態様による、ワイヤレス通信のための方法１４００の一例を示すフローチャートである。明快のために、方法１４００について、図１および／または図１２を参照しながら説明した基地局１０５のうちの１つまたは複数の態様、ならびに／あるいは図１０および／または図１１を参照しながら説明したデバイスのうちの１つまたは複数の態様に関して以下で説明する。いくつかの例では、基地局は、以下で説明する機能を実行するように基地局の機能要素を制御するためのコードの１つまたは複数のセットを実行し得る。追加または代替として、基地局は、専用ハードウェアを使用して、以下で説明する機能のうちの１つまたは複数を実行し得る。
【０１０５】
[0122]  ブロック１４０５において、方法１４００は、基地局と少なくとも１つのユーザ機器（ＵＥ）との間で送信されるべき第１のタイプのトラフィックのための利用可能なワイヤレスリソースのサブセットを割り振ることを含み得る。ブロック１４０５の動作は、たとえば、図１０、図１１、および／または図１２の送信機モジュール１０２０および／またはワイヤレス通信管理モジュール１０１５、ならびに／あるいは関連する受信機／アンテナによって実行され得る。
【０１０６】
[0123]  ブロック１４１０において、本方法は、基地局と少なくとも１つのＵＥとの間で送信されるべき第２のタイプのトラフィックのための利用可能なワイヤレスリソースのサブセットを割り振ることを含み得る。ブロック１４１０における（１つまたは複数の）動作は、たとえば、図１０、図１１、および／または図１２の送信機モジュール１０２０および／またはワイヤレス通信管理モジュール１０１５、ならびに／あるいは関連する受信機／アンテナによって実行され得る。
【０１０７】
[0124]  ブロック１４１５において、本方法は、ワイヤレスリソースのサブセットとサブセットとの半静的指示を送信することを含み得る。ブロック１４１５における（１つまたは複数の）動作は、たとえば、図１０、図１１、および／または図１２の送信機モジュール１０２０および／またはワイヤレス通信管理モジュール１０１５、ならびに／あるいは関連する受信機／アンテナによって実行され得る。
【０１０８】
[0125]  ブロック１４２０において、本方法は、基地局と少なくとも１つのＵＥとの間で送信されるべき第２のタイプのトラフィックの量に少なくとも部分的に基づいて、第１のタイプのトラフィックにリソースのサブセットの少なくとも一部分を動的に再割り振りすることを含み得る。ブロック１４２０における（１つまたは複数の）動作は、たとえば、図１０、図１１、および／または図１２の送信機モジュール１０２０および／またはワイヤレス通信管理モジュール１０１５、ならびに／あるいは関連する受信機／アンテナによって実行され得る。送信機モジュール１０２０の例示的な構造実装形態は、図１２の基地局トランシーバモジュール１２５０および（１つまたは複数の）基地局アンテナ１２５５であり得る。
【０１０９】
[0126]  したがって、方法１４００はワイヤレス通信を提供し得る。方法１４００は一実装形態にすぎないこと、および方法１４００の動作は、他の実装形態が可能であるように、並べ替えられるかまたは場合によっては変更され得ることに留意されたい。
【０１１０】
[0127]  図１５は、本開示の様々な態様による、ワイヤレス通信のための方法１５００の一例を示すフローチャートである。明確にするために、方法１５００について、図１および／または図９を参照しながら説明したＵＥ１１５のうちの１つまたは複数の態様、ならびに／あるいは図７および／または図８を参照しながら説明したデバイスのうちの１つまたは複数の態様に関して以下で説明する。いくつかの例では、ＵＥは、以下で説明する機能を実行するようにＵＥの機能要素を制御するためのコードの１つまたは複数のセットを実行し得る。追加または代替として、ＵＥは、専用ハードウェアを使用して、以下で説明する機能のうちの１つまたは複数を実行し得る。
【０１１１】
[0128]  ブロック１５０５において、方法１５００は、基地局と少なくとも１つのＵＥとの間の、第１のタイプのトラフィックの送信のためのワイヤレスリソースのサブセットと第２のタイプのトラフィックの送信のためのワイヤレスリソースのサブセットとを示す半静的割振りを受信することを含み得る。ブロック１５０５の動作は、たとえば、図７、図８、および／または図９の送信機モジュール１０２０および／またはワイヤレス通信管理モジュール７１５、ならびに／あるいは関連する受信機／アンテナによって実行され得る。
【０１１２】
[0129]  ブロック１５１０において、本方法は、基地局と少なくとも１つのＵＥとの間で送信されるべき第２のタイプのトラフィックの量に少なくとも部分的に基づいて、第１のタイプのトラフィックへのリソースのサブセットの少なくとも一部分の動的再割振りを受信することを含み得る。いくつかの例では、第１のタイプのトラフィックは、第１のラウンドトリップ時間（ＲＴＴ）をもつ第１のサブフレームタイプを有し得、第２のタイプのトラフィックは、第１のＲＴＴよりも小さい第２のＲＴＴをもつ第２のサブフレームタイプを有し得る。ブロック１５１０における（１つまたは複数の）動作は、たとえば、図７、図８、および／または図９の送信機モジュール１０２０および／またはワイヤレス通信管理モジュール７１５、ならびに／あるいは関連する受信機／アンテナによって実行され得る。送信機モジュール１０２０の例示的な構造実装形態は、図１２の基地局トランシーバモジュール１２５０および（１つまたは複数の）基地局アンテナ１２５５であり得る。
【０１１３】
[0130]  したがって、方法１５００はワイヤレス通信を提供し得る。方法１５００は一実装形態にすぎないこと、および方法１５００の動作は、他の実装形態が可能であるように、並べ替えられるかまたは場合によっては変更され得ることに留意されたい。
【０１１４】
[0131]  図１６は、本開示の様々な態様による、ワイヤレス通信のための方法１６００の一例を示すフローチャートである。明確にするために、方法１６００について、図１および／または図１２を参照しながら説明した基地局１０５のうちの１つまたは複数の態様、ならびに／あるいは図１０および／または図１１を参照しながら説明したデバイスのうちの１つまたは複数の態様に関して以下で説明する。いくつかの例では、基地局は、以下で説明する機能を実行するように基地局の機能要素を制御するためのコードの１つまたは複数のセットを実行し得る。追加または代替として、基地局は、専用ハードウェアを使用して、以下で説明する機能のうちの１つまたは複数を実行し得る。
【０１１５】
[0132]  ブロック１６０５において、方法１６００は、基地局と第１のタイプのユーザ機器（ＵＥ）との間で送信されるべき第１のタイプのトラフィックのための利用可能なワイヤレスリソースのサブセットを割り振ることを含み得、サブセットは、第１のデューティサイクルに関連し、利用可能なワイヤレスリソースの全システム帯域幅を利用する。ブロック１６０５の動作は、たとえば、図１０、図１１、および／または図１２の送信機モジュール１０２０および／またはワイヤレス通信管理モジュール１０１５、ならびに／あるいは関連する受信機／アンテナによって実行され得る。
【０１１６】
[0133]  ブロック１６１０において、本方法は、基地局と第２のタイプのＵＥとの間で送信されるべき第２のタイプのトラフィックのための利用可能なワイヤレスリソースのサブセットを割り振ることを含み得、サブセットは、第１のデューティサイクルよりも長い第２のデューティサイクルに関連し、全システム帯域幅内にあり、それよりも小さい帯域幅を利用する。ブロック１６１０における（１つまたは複数の）動作は、たとえば、図１０、図１１、および／または図１２の送信機モジュール１０２０および／またはワイヤレス通信管理モジュール１０１５、ならびに／あるいは関連する受信機／アンテナによって実行され得る。送信機モジュール１０２０の例示的な構造実装形態は、図１２の基地局トランシーバモジュール１２５０および（１つまたは複数の）基地局アンテナ１２５５であり得る。
【０１１７】
[0134]  したがって、方法１６００はワイヤレス通信を提供し得る。方法１６００は一実装形態にすぎないこと、および方法１６００の動作は、他の実装形態が可能であるように、並べ替えられるかまたは場合によっては変更され得ることに留意されたい。
【０１１８】
[0135]  図１７は、本開示の様々な態様による、ワイヤレス通信のための方法１７００の一例を示すフローチャートである。明確にするために、方法１７００について、図１および／または図９を参照しながら説明したＵＥ１１５のうちの１つまたは複数の態様、ならびに／あるいは図７および／または図８を参照しながら説明したデバイスのうちの１つまたは複数の態様に関して以下で説明する。いくつかの例では、ＵＥは、以下で説明する機能を実行するようにＵＥの機能要素を制御するためのコードの１つまたは複数のセットを実行し得る。追加または代替として、ＵＥは、専用ハードウェアを使用して、以下で説明する機能のうちの１つまたは複数を実行し得る。
【０１１９】
[0136]  ブロック１７０５において、方法１７００は、基地局から、システム帯域幅内で、第１のタイプのトラフィックのためのワイヤレスリソースのサブセットと第２のタイプのトラフィックの送信のためのワイヤレスリソースのサブセットとを示す割振りを受信することを含み得る。サブセットは第１のデューティサイクルに関連し、システム帯域幅の全量を利用し得、サブセットは、第１のデューティサイクルよりも長い第２のデューティサイクルに関連し得、システム帯域幅よりも小さい帯域幅を利用する。ブロック１７０５の動作は、たとえば、図７、図８、および／または図９の受信機モジュール７１０および／またはワイヤレス通信管理モジュール７１５、ならびに／あるいは関連する受信機／アンテナによって実行され得る。
【０１２０】
[0137]  ブロック１７１０において、本方法は、ワイヤレスリソースのサブセットを使用して基地局との間で第２のタイプのトラフィックを送信および受信することを含み得る。ブロック１７１０における（１つまたは複数の）動作は、たとえば、図７、図８、および／または図９の受信機モジュール７１０および／または送信機モジュール７２０および／またはワイヤレス通信管理モジュール７１５、ならびに／あるいは関連する受信機／アンテナによって実行され得る。受信機モジュール７１０または送信機モジュール７２０の例示的な構造実装形態は、図９のＵＥトランシーバモジュール９３５および（１つまたは複数の）ＵＥアンテナ９４０であり得る。
【０１２１】
[0138]  したがって、方法１７００はワイヤレス通信を提供し得る。方法１７００は一実装形態にすぎないこと、および方法１７００の動作は、他の実装形態が可能であるように、並べ替えられるかまたは場合によっては変更され得ることに留意されたい。
【０１２２】
[0139]  いくつかの例では、方法１３００〜１７００のうちの２つまたはそれ以上からの態様は、組み合わせられ得る。方法１４００、１５００、１６００、および１７００は例示的な実装形態にすぎないこと、ならびに方法１４００〜１７００の動作は、他の実装形態が可能であるように、並べ替えられるかまたは場合によっては変更され得ることに留意されたい。
【０１２３】
[0140]  本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ：LTE（登録商標）-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、無認可および／または共有帯域幅を介したセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１２４】
[0141]  添付の図面に関して上記に記載された詳細な説明は、例について説明しており、実装され得るまたは特許請求の範囲内に入る例のみを表すものではない。詳細な説明は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【０１２５】
[0142]  情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２６】
[0143]  本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１２７】
[0144]  本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態が、本開示および添付の特許請求の範囲の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１２８】
[0145]  コンピュータ可読媒体は、ある場所から別の場所へのコンピュータプログラムの転送を可能にする任意の媒体を含む、コンピュータ記憶媒体（computer storage media）と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１２９】
[0146]  本開示についての以上の説明は、当業者が本開示を作成または使用することができるように与えたものである。本開示への様々な修正は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
以下に本願の出願当初の特許請求の範囲に記載された発明を付記する。
［Ｃ１］
ワイヤレス通信のための方法であって、
第１のタイプのユーザ機器（ＵＥ）との第１のタイプの通信のためのシステム帯域幅内のワイヤレスリソースの予約済みセットと、前記予約済みセットの外部にあり、かつ前記システム帯域幅内にある残りのワイヤレスリソースとを識別することと、
第２のタイプのＵＥとの第２のタイプの通信のために前記残りのワイヤレスリソースのサブセットを割り振ることと、ここにおいて、前記第１のタイプの通信と前記第２のタイプの通信とが、ラウンドトリップ時間（ＲＴＴ）またはデューティサイクルタイミングのうちの少なくとも１つに基づいて異なる、を備える、方法。
［Ｃ２］
前記第１のタイプの通信と前記第２のタイプの通信とが、ＲＴＴに基づいて異なり、ここにおいて、
前記第１のタイプの通信が、第１のＲＴＴをもつ第１のサブフレームタイプを有し、
前記第２のタイプの通信が、前記第１のＲＴＴよりも小さい第２のＲＴＴをもつ第２のサブフレームタイプを有する、Ｃ１に記載の方法。
［Ｃ３］
前記第１のタイプの通信が、第１の送信時間間隔（ＴＴＩ）をもつ第１のサブフレームタイプを有し、
前記第２のタイプの通信が、前記第１のＴＴＩよりも小さい第２のＴＴＩをもつ第２のサブフレームタイプを有する、Ｃ１に記載の方法。
［Ｃ４］
前記第１のタイプの通信と前記第２のタイプの通信とが、デューティサイクルタイミングに基づいて異なり、ここにおいて、
前記第１のタイプの通信が第１のデューティサイクルに関連し、前記システム帯域幅の部分量または全量のいずれかを利用し、
前記第２のタイプの通信が、前記第１のデューティサイクルよりも小さい第２のデューティサイクルに関連し、前記システム帯域幅よりも小さい帯域幅を利用する、Ｃ１に記載の方法。
［Ｃ５］
前記割り振ることが、
前記第２のタイプのＵＥのうちの少なくとも１つの存在を識別することと、
前記第２のタイプのＵＥのうちの前記識別された少なくとも１つに提供されるべきデータサービスのタイプを識別することと、
前記第２のタイプのＵＥに提供されるべきデータサービスの前記タイプに少なくとも部分的に基づいて、前記残りのワイヤレスリソースの前記サブセットを決定することとを備える、Ｃ１に記載の方法。
［Ｃ６］
前記割り振ることは、
前記第２のタイプのＵＥに提供されるべきデータサービスの前記タイプのためのデータキュー中のデータの量がしきい値を下回ると決定することと、
前記第１のタイプの通信を提供するために前記残りのワイヤレスリソースの前記サブセットの少なくとも一部分を動的に再割り振りすることとを備える、Ｃ５に記載の方法。
［Ｃ７］
アップリンクデータが前記第２のタイプの通信を使用して送信されるべきであるという送信を前記第２のタイプのＵＥから受信することをさらに備え、
ここにおいて、前記割り振ることが、前記第２のタイプのＵＥからの前記送信に少なくとも部分的に基づく、Ｃ１に記載の方法。
［Ｃ８］
前記割り振ることが、前記第２のタイプのＵＥの存在、またはデータサービスのタイプ、あるいはそれらの任意の組合せに基づいて半静的に実行される、Ｃ１に記載の方法。
［Ｃ９］
前記残りのワイヤレスリソースの前記割り振られたサブセットの指示を送信することをさらに備える、Ｃ１に記載の方法。
［Ｃ１０］
前記指示は、
サブフレーム内の前記残りのワイヤレスリソースが前記第２のタイプの通信のために構成されたかどうかを示す存在指示チャネルを備える、Ｃ９に記載の方法。
［Ｃ１１］
前記指示は、
前記第２のタイプの通信のために構成されたサブフレーム内の前記残りのワイヤレスリソースの前記サブセットについての形状または量を示す存在指示チャネルを備える、Ｃ９に記載の方法。
［Ｃ１２］
第３のタイプのＵＥとの第３のタイプの通信のために前記残りのワイヤレスリソースからのワイヤレスリソースの他のサブセットを割り振ることと、ワイヤレスリソースの前記他のサブセットが前記残りのワイヤレスリソースの前記サブセットとは異なる、
前記残りのワイヤレスリソースの前記割り振られたサブセットとワイヤレスリソースの前記他のサブセットとの指示を、前記第２のタイプのＵＥ、前記第３のタイプのＵＥ、またはそれらの任意の組合せに送信することとをさらに備える、Ｃ１に記載の方法。
［Ｃ１３］
前記第２のタイプのＵＥがマシンタイプ通信（ＭＴＣ）ＵＥを備える、Ｃ１２に記載の方法。
［Ｃ１４］
前記残りのワイヤレスリソースの前記他のサブセットは、前記ＭＴＣ  ＵＥが前記第１のタイプの通信とは無関係に前記第２のタイプの通信を受信するのに十分な制御および同期シグナリングを備える、Ｃ１３に記載の方法。
［Ｃ１５］
ワイヤレス通信のための装置であって、
第１のタイプのユーザ機器（ＵＥ）との第１のタイプの通信のためのシステム帯域幅内のワイヤレスリソースの予約済みセットと、前記予約済みセットの外部にあり、かつ前記システム帯域幅内にある残りのワイヤレスリソースとを識別するための手段と、
第２のタイプのＵＥとの第２のタイプの通信のために前記残りのワイヤレスリソースのサブセットを割り振るための手段と、ここにおいて、前記第１のタイプの通信と前記第２のタイプの通信とが、ラウンドトリップ時間（ＲＴＴ）またはデューティサイクルタイミングのうちの少なくとも１つに基づいて異なる、を備える、装置。
［Ｃ１６］
前記第１のタイプの通信と前記第２のタイプの通信とが、ＲＴＴに基づいて異なり、ここにおいて、
前記第１のタイプの通信が、第１のＲＴＴをもつ第１のサブフレームタイプを有し、
前記第２のタイプの通信が、前記第１のＲＴＴよりも小さい第２のＲＴＴをもつ第２のサブフレームタイプを有する、Ｃ１５に記載の装置。
［Ｃ１７］
前記第１のタイプの通信が、第１の送信時間間隔（ＴＴＩ）をもつ第１のサブフレームタイプを有し、
前記第２のタイプの通信が、前記第１のＴＴＩよりも小さい第２のＴＴＩをもつ第２のサブフレームタイプを有する、Ｃ１５に記載の装置。
［Ｃ１８］
前記第１のタイプの通信と前記第２のタイプの通信とが、デューティサイクルタイミングに基づいて異なり、ここにおいて、
前記第１のタイプの通信が第１のデューティサイクルに関連し、前記システム帯域幅の部分量または全量のいずれかを利用し、
前記第２のタイプの通信が、前記第１のデューティサイクルよりも小さい第２のデューティサイクルに関連し、前記システム帯域幅よりも小さい帯域幅を利用する、Ｃ１５に記載の装置。
［Ｃ１９］
割り振るための前記手段が、
前記第２のタイプのＵＥのうちの少なくとも１つの存在を識別するための手段と、
前記第２のタイプのＵＥのうちの前記識別された少なくとも１つに提供されるべきデータサービスのタイプを識別するための手段と、
前記第２のタイプのＵＥに提供されるべきデータサービスの前記タイプに少なくとも部分的に基づいて、前記残りのワイヤレスリソースの前記サブセットを決定するための手段とを備える、Ｃ１５に記載の装置。
［Ｃ２０］
割り振るための前記手段は、
前記第２のタイプのＵＥに提供されるべきデータサービスの前記タイプのためのデータキュー中のデータの量がしきい値を下回ると決定するための手段と、
前記第１のタイプの通信を提供するために前記残りのワイヤレスリソースの前記サブセットの少なくとも一部分を動的に再割り振りするための手段とを備える、Ｃ１９に記載の装置。
［Ｃ２１］
アップリンクデータが前記第２のタイプの通信を使用して送信されるべきであるという送信を前記第２のタイプのＵＥから受信するための手段をさらに備え、
ここにおいて、割り振るための前記手段が、前記第２のタイプのＵＥからの前記送信に少なくとも部分的に基づいて動作可能である、Ｃ１５に記載の装置。
［Ｃ２２］
割り振るための前記手段が、前記第２のタイプのＵＥの存在、またはデータサービスのタイプ、あるいはそれらの任意の組合せに基づいて半静的に前記割り振ることを実行するように動作可能である、Ｃ１５に記載の装置。
［Ｃ２３］
前記残りのワイヤレスリソースの前記割り振られたサブセットの指示を送信するための手段をさらに備える、Ｃ１５に記載の装置。
［Ｃ２４］
前記指示は、
サブフレーム内の前記残りのワイヤレスリソースが前記第２のタイプの通信のために構成されたかどうかを示す存在指示チャネルを備える、Ｃ２３に記載の装置。
［Ｃ２５］
前記指示は、
前記第２のタイプの通信のために構成されたサブフレーム内の前記残りのワイヤレスリソースの前記サブセットについての形状または量を示す存在指示チャネルを備える、Ｃ２３に記載の装置。
［Ｃ２６］
第３のタイプのＵＥとの第３のタイプの通信のために前記残りのワイヤレスリソースからのワイヤレスリソースの他のサブセットを割り振るための手段と、ワイヤレスリソースの前記他のサブセットが前記残りのワイヤレスリソースの前記サブセットとは異なる、
前記残りのワイヤレスリソースの前記割り振られたサブセットとワイヤレスリソースの前記他のサブセットとの指示を、前記第２のタイプのＵＥ、前記第３のタイプのＵＥ、またはそれらの任意の組合せに送信するための手段とをさらに備える、Ｃ１５に記載の装置。
［Ｃ２７］
前記第２のタイプのＵＥがマシンタイプ通信（ＭＴＣ）ＵＥを備える、Ｃ２６に記載の装置。
［Ｃ２８］
前記残りのワイヤレスリソースの前記他のサブセットは、前記ＭＴＣ  ＵＥが前記第１のタイプの通信とは無関係に前記第２のタイプの通信を受信するのに十分な制御および同期シグナリングを備える、Ｃ２７に記載の装置。
［Ｃ２９］
ワイヤレス通信のための装置であって、
プロセッサと、
前記プロセッサと電子通信しているメモリと、
前記メモリに記憶された命令とを備え、前記命令は、
第１のタイプのユーザ機器（ＵＥ）との第１のタイプの通信のためのシステム帯域幅内のワイヤレスリソースの予約済みセットと、前記予約済みセットの外部にあり、かつ前記システム帯域幅内にある残りのワイヤレスリソースとを識別することと、
第２のタイプのＵＥとの第２のタイプの通信のために前記残りのワイヤレスリソースのサブセットを割り振ることと、ここにおいて、前記第１のタイプの通信と前記第２のタイプの通信とが、ラウンドトリップ時間（ＲＴＴ）またはデューティサイクルタイミングのうちの少なくとも１つに基づいて異なる、を行うために前記プロセッサによって実行可能である、装置。
［Ｃ３０］
ワイヤレス通信のためのコンピュータ実行可能コードを記憶する非一時的コンピュータ可読媒体であって、前記コードは、
第１のタイプのユーザ機器（ＵＥ）との第１のタイプの通信のためのシステム帯域幅内のワイヤレスリソースの予約済みセットと、前記予約済みセットの外部にあり、前記システム帯域幅内にある残りのワイヤレスリソースとを識別することと、
第２のタイプのＵＥとの第２のタイプの通信のために前記残りのワイヤレスリソースのサブセットを割り振ることと、ここにおいて、前記第１のタイプの通信と前記第２のタイプの通信とが、ラウンドトリップ時間（ＲＴＴ）またはデューティサイクルタイミングのうちの少なくとも１つに基づいて異なる、を行うためにプロセッサによって実行可能である、非一時的コンピュータ可読媒体。
【図１】
0006542359.tif 000002
【図２】
0006542359.tif 000003
【図３】
0006542359.tif 000004
【図４】
0006542359.tif 000005
【図５】
0006542359.tif 000006
【図６】
0006542359.tif 000007
【図７】
0006542359.tif 000008
【図８】
0006542359.tif 000009
【図９】
0006542359.tif 000010
【図１０】
0006542359.tif 000011
【図１１】
0006542359.tif 000012
【図１２】
0006542359.tif 000013
【図１３】
0006542359.tif 000014
【図１４】
0006542359.tif 000015
【図１５】
0006542359.tif 000016
【図１６】
0006542359.tif 000017
【図１７】
0006542359.tif 000018